(57)【要約】【課題】建築現場等での使用に十分に適した電気機器を提供。【解決手段】  左右方向に延びる機器本体２と、機器本体２と離間して位置し左右方向に延びる第１水平ガード３１Ａと、を備え、機器本体２は、機器本体２の前方から視認可能な第１傾斜壁部５１を有し左右方向に延びるハウジング５と、ハウジング５内に収容され映像信号及び音声信号を出力可能なコントローラ１８と、第１傾斜壁部５１に支持されるとともに機器本体２の前方から視認可能でありコントローラ１８から出力される映像信号に基づいた映像を表示可能な液晶ディスプレイ６２と、ハウジング５の左端部に配置されコントローラ１８から出力される音声信号に基づいた音声を出力可能な第１スピーカ１３と、ハウジング５の右端部に配置されコントローラ１８から出力される音声信号に基づいた音声を出力可能な第２スピーカ１４と、を有し、第１水平ガード３１Ａは、液晶ディスプレイ６２よりも外方に突出している。【選択図】図６
2018198376.tif 000002
【特許請求の範囲】
【請求項１】
左右方向に延びる機器本体と、
該機器本体と離間して位置し該左右方向に延びるガードと、を備え、
該機器本体は、
該機器本体の前方から視認可能な第１壁部を有し該左右方向に延びるハウジングと、
該ハウジング内に収容され映像信号及び音声信号を出力可能なコントローラと、
該第１壁部に支持されるとともに該機器本体の該前方から視認可能であり、該コントローラから出力される該映像信号に基づいた映像を表示可能なディスプレイと、
該ハウジングの左端部に配置され該コントローラから出力される該音声信号に基づいた音声を出力可能な第１スピーカと、
該ハウジングの右端部に配置され該コントローラから出力される該音声信号に基づいた音声を出力可能な第２スピーカと、を有し、
該ガードは、該ディスプレイよりも外方に突出していることを特徴とする電気機器。
【請求項２】
左右方向に延びる機器本体を備え、
該機器本体は、
該機器本体の前方から視認可能な第１壁部を有し該左右方向に延びるハウジングと、
該ハウジング内に収容され、映像信号及び音声信号を出力可能なコントローラと、
該第１壁部に支持されるとともに該機器本体の該前方から視認可能であり、該コントローラから出力される該映像信号に基づいた映像を表示可能なディスプレイと、
該ハウジングの左端部に配置され、該コントローラから出力される該音声信号に基づいた音声を出力可能な第１スピーカと、
該ハウジングの右端部に配置され、該コントローラから出力される該音声信号に基づいた音声を出力可能な第２スピーカと、を有し、
該ディスプレイの画面サイズは、６乃至１２インチであり、
該第１スピーカ及び第２スピーカのそれぞれの最大入力は、５乃至２０Ｗであることを特徴とする電気機器。
【請求項３】
左右方向に延びる機器本体と、
該機器本体を囲むように配置されたフレームガードと、を備え、
該機器本体は、
該機器本体の前方から視認可能な第１壁部を有し該左右方向に延びるハウジングと、
該ハウジング内に収容され映像信号及び音声信号を出力可能なコントローラと、
該第１壁部に支持されるとともに該機器本体の該前方から視認可能であり、該コントローラから出力される該映像信号に基づいた映像を表示可能な表示面を有するディスプレイと、
該ハウジングの左端部に配置され該コントローラから出力される該音声信号に基づいた音声を出力可能な第１スピーカと、
該ハウジングの右端部に配置され該コントローラから出力される該音声信号に基づいた音声を出力可能な第２スピーカと、を有し、
上下方向に直交する仮想平面を該フレームガードに下方から接触させた場合の該仮想平面と該フレームガードとの接触部分のうちの前端と後端との距離は、該表示面の上下方向の寸法よりも大きいことを特徴とする電気機器。
【請求項４】
該第１スピーカは該音声を左方向に出力するように配置され、該第２スピーカは該音声を右方向に出力するように配置されていることを特徴とする請求項１〜３のいずれか１項に記載の電気機器。
【請求項５】
該ハウジングは、
開口が形成され該第１壁部の後方に位置する第２壁部をさらに有し、
該機器本体は、
該第２壁部に設けられるとともに該開口を閉じる閉姿勢と該開口を開放する開姿勢との間で開閉可能な開口カバーと、
該機器本体を遠隔操作可能な遠隔操作装置を収容可能に該ハウジング内に設けられ、該開口が開放されている場合に該開口を介して該ハウジングの外部に露出される収容部と、をさらに有することを特徴とする請求項１〜４のいずれか１項に記載の電気機器。
【請求項６】
該収容部は、該遠隔操作装置を収容した状態で電池パックをさらに収容可能であることを特徴とする請求項５に記載の電気機器。
【請求項７】
該収容部は、該電池パックを収容した状態で該電池パックと電気的に接続可能な電源接続部を有し、
該コントローラは、該電源接続部と電気的に接続されていることを特徴とする請求項６に記載の電気機器。
【請求項８】
該機器本体は、該第１壁部において該ディスプレイの下方に設けられ外部機器と接続可能な外部接続端子をさらに有することを特徴とする請求項１〜７のいずれか１項に記載の電気機器。
【請求項９】
該機器本体は、
該第１壁部に設けられ、該外部接続端子を覆う閉姿勢と該外部接続端子を露出させる開姿勢との間で開閉可能な端子カバーと、
該第１壁部と該端子カバーとの間に設けられ、該端子カバーが該閉姿勢に向けて姿勢変化するように該端子カバーを付勢する付勢部材と、をさらに有することを特徴とする請求項８に記載の電気機器。
【請求項１０】
該端子カバーと該機器本体との間にはシール部材が設けられていることを特徴とする請求項９に記載の電気機器。
【請求項１１】
該機器本体は、該第１壁部における該ディスプレイの上方に設けられ手動操作を受け付ける操作部をさらに有することを特徴とする請求項１〜１０のいずれか１項に記載の電気機器。
【請求項１２】
該コントローラは、ラジオ放送波を受信可能なラジオ放送受信回路と、テレビ放送波を受信可能なテレビ放送受信回路と、を有することを特徴とする請求項１〜１１のいずれか１項に記載の電気機器。
【請求項１３】
該コントローラは、選局されたラジオ放送局のラジオ放送に応じた音声信号を出力可能、且つ、選局されたテレビ放送局のテレビ放送に応じた映像信号及び音声信号を出力可能に構成されていることを特徴とする請求項１２に記載の電気機器。
【請求項１４】
該コントローラは、該選局されたラジオ放送局の周波数を示す画面を該ディスプレイに表示させることが可能に構成されていることを特徴とする請求項１３に記載の電気機器。
【請求項１５】
開口が形成されたハウジングと、
該開口を閉じる閉姿勢と該開口を開放する開姿勢との間で開閉可能な開口カバーと、
該ハウジングに設けられ、電力によって作動する作動部と、
該ハウジング内に収容され、該作動部を制御するコントローラと、
該コントローラを赤外線で遠隔操作可能な遠隔操作装置を収容可能に該ハウジング内に設けられ、該開口が開放されている場合に該開口を介して該ハウジングの外部に露出される収容部と、を備えることを特徴とする電気機器。
【請求項１６】
該収容部は、該遠隔操作装置を収容した状態で電池パックをさらに収容可能であることを特徴とする請求項１５に記載の電気機器。
【請求項１７】
該収容部は、該電池パックを収容した状態で該電池パックと電気的に接続可能な電源接続部を有し、
該コントローラは、該電源接続部と電気的に接続されていることを特徴とする請求項１６に記載の電気機器。
【請求項１８】
左右方向に延びる機器本体を備え、
該機器本体は、
該機器本体の前方から視認可能な壁部を有し該左右方向に延びるハウジングと、
該ハウジング内に収容され映像信号及び音声信号を出力可能なコントローラと、
該壁部に支持されるとともに該機器本体の該前方から視認可能であり、該コントローラから出力される該映像信号に基づいた映像を表示可能な表示面を有するディスプレイと、
該ディスプレイの右方に配置され該コントローラから出力される該音声信号に基づいた音声を出力可能な第１スピーカと、
該ディスプレイの左方に配置され該コントローラから出力される該音声信号に基づいた音声を出力可能な第２スピーカと、
該壁部に設けられ外部機器を接続可能な外部接続端子と、を有することを特徴とする電気機器。
【請求項１９】
該左右方向における該表示面の寸法は、該左右方向における全長の４０％以上であり、
上下方向における該表示面の寸法は、該上下方向における全長の３０％以上であることを特徴とする請求項１８に記載の電気機器。
【請求項２０】
左右方向に延びる機器本体と、
該機器本体と離間して位置し該左右方向に延びるガードと、を備え、
該機器本体は、
該機器本体の前方から視認可能な壁部と、
該壁部に支持されるとともに該機器本体の該前方から視認可能であり、コントローラから出力される映像信号に基づいた映像を表示可能な表示面を有するディスプレイと、
該機器本体の左端部に配置され該コントローラから出力される音声信号に基づいた音声を出力可能な第１スピーカと、
該機器本体の右端部に配置され該コントローラから出力される音声信号に基づいた音声を出力可能な第２スピーカと、を有することを特徴とする電気機器。
【請求項２１】
左右方向に延びる機器本体と、
該機器本体と離間して位置し該左右方向に延びるガードと、を備え、
該機器本体は、
外部機器を接続可能な外部接続端子と、
該外部接続端子を覆う端子カバーとを有し、
該端子カバーと該機器本体との間にはシール部材が設けられていることを特徴とする電気機器。
【発明の詳細な説明】
【技術分野】
【０００１】
本発明は、建築現場等で用いられる持ち運び可能な電気機器に関する。
【背景技術】
【０００２】
従来より、持ち運び可能な電気機器が広く使用されている。このような電気機器としては、電動工具用の蓄電池を電源として用いる携帯用テレビが提案されている（例えば、特許文献１）。特許文献１に記載の携帯用テレビは、電動工具用の蓄電池が接続可能な正面視略矩形の本体と、本体の前面に設けられた表示部と、本体の上方に位置し本体の上縁部に沿って延びるハンドル部と、ハンドル部に回動可能に設けられたカバーとを備えている。上記携帯用テレビは、蓄電池を本体に接続した状態で床や地面等に載置された状態で使用され、当該載置状態において、本体の下面と本体に接続された蓄電池の下面とが床等に接触するように構成されている。
【０００３】
また、上記携帯用テレビでテレビ放送を視聴する場合には、カバーを本体の後側に回動させて表示部を露出させる。一方、テレビ放送の視聴を行わない場合には、カバーを本体の前面まで回動させて表示部を覆うことで、表示部を保護することが可能である。
【０００４】
また、従来より、液晶画面及び当該液晶画面の左方及び右方に配置された一対のスピーカを備える電気機器が知られている。このような電気機器においては、電気機器の左右方向の寸法が大型化しないように、振動板（コーン紙等）の直径が比較的小さいスピーカを採用している（例えば、特許文献２）。
【０００５】
さらに、従来より、リモコン等のような遠隔操作装置で遠隔操作が可能な電気機器が知られている（例えば、特許文献３）。
【先行技術文献】
【特許文献】
【０００６】
【特許文献１】特開２０１１−２３３９５７号公報
【特許文献２】特開２００２−３００６８１号公報
【特許文献３】特開平６−１３３３７２号公報
【発明の概要】
【発明が解決しようとする課題】
【０００７】
しかしながら、上記携帯用テレビにおいては、テレビ放送を視聴している間、表示部はカバーによって保護されていない。このため、建築現場、イベント会場設営現場等（以下、建築現場等という）のように人や資材等の往来が激しい場所で使用した場合、表示部に資材等が接触又は衝突しやすく、表示部が破損又は傷付く虞があった。また、上記携帯用テレビは、本体の高さに比較して床等に接触させる面（すなわち、本体の下面及び蓄電池の下面）の前端から後端までの距離が小さいため、倒れやすい構造であった。このため、建築現場等のように床や地面等に釘や小石等が落ちている場所で携帯用テレビを使用した場合、テレビ放送の視聴中に携帯用テレビが倒れて表示部が破損又は傷付く虞があった。
【０００８】
また、特許文献２に記載の液晶画面の左方及び右方に一対のスピーカを備える電気機器においては、上述のように振動板（コーン紙等）の直径が比較的小さいスピーカを採用しているため、スピーカの音量が比較的小さい。このため、建築現場等のように騒音が大きい場所ではスピーカから出力される音声を聞き取りにくかった。
【０００９】
また、特許文献２に記載の電気機器においては、外部機器と接続する外部機器入力端子にカバーがされていないため、建築現場等のように屋根のない広い場所においては外部入力端子が雨に濡れたり、埃等がつまったりする虞があった。
【００１０】
さらに、特許文献３に記載の遠隔操作装置を用いた遠隔操作が可能な電気機器においては、建築現場等のように屋根のない広い場所においては、遠隔操作装置が雨に濡れたり、紛失したりする虞があった。
【００１１】
上述のように、従来の電気機器は、建築現場等での使用に十分に適しておらず、建築現場等での使用に十分に適した電気機器が望まれていた。
【００１２】
そこで本発明は、上述した複数の課題のうちの少なくとも一を解決し、建築現場等での使用に十分に適した電気機器を提供することを目的とする。
【課題を解決するための手段】
【００１３】
上記課題を解決するために本発明は、左右方向に延びる機器本体と、該機器本体と離間して位置し該左右方向に延びるガードと、を備え、該機器本体は、該機器本体の前方から視認可能な第１壁部を有し該左右方向に延びるハウジングと、該ハウジング内に収容され映像信号及び音声信号を出力可能なコントローラと、該第１壁部に支持されるとともに該機器本体の該前方から視認可能であり該コントローラから出力される該映像信号に基づいた映像を表示可能なディスプレイと、該ハウジングの左端部に配置され該コントローラから出力される該音声信号に基づいた音声を出力可能な第１スピーカと、該ハウジングの右端部に配置され該コントローラから出力される該音声信号に基づいた音声を出力可能な第２スピーカと、を有し、該ガードは、該ディスプレイよりも外方に突出していることを特徴とする電気機器を提供する。
【００１４】
このような構成によると、ガードがディスプレイよりも外方に突出しているため、建築現場等で資材等が倒れ掛かってきた場合であっても、当該資材等はディスプレイではなくガードに衝突又は接触する。このため、ディスプレイの保護をより万全とすることができ、ディスプレイの破損又は傷付きを抑制することができる。すなわち、上記構成によると、建築現場等での使用に十分に適した電気機器を提供することができる。
【００１５】
上記課題を解決するために本発明はさらに、左右方向に延びる機器本体を備え、該機器本体は、該機器本体の前方から視認可能な第１壁部を有し該左右方向に延びるハウジングと、該ハウジング内に収容され映像信号及び音声信号を出力可能なコントローラと、該第１壁部に支持されるとともに該機器本体の該前方から視認可能であり該コントローラから出力される該映像信号に基づいた映像を表示可能なディスプレイと、該ハウジングの左端部に配置され該コントローラから出力される該音声信号に基づいた音声を出力可能な第１スピーカと、該ハウジングの右端部に配置され該コントローラから出力される該音声信号に基づいた音声を出力可能な第２スピーカと、を有し、該ディスプレイの画面サイズは６乃至１２インチであり、該第１スピーカ及び第２スピーカのそれぞれの最大入力は５乃至２０Ｗであることを特徴とする電気機器を提供する。
【００１６】
このような構成によると、６乃至１２インチの画面サイズを有するディスプレイを備えた電気機器において、第１及び第２スピーカの最大入力がそれぞれ５乃至２０Ｗであり、６乃至１２インチの画面サイズを有するディスプレイを備えた従来の電気機器におけるスピーカの最大入力よりも大幅に大きい。このため、６乃至１２インチの画面サイズを有する従来の電気機器と比較して、スピーカから出力する音声の音量を大幅に大きくすることができる。これにより、建築現場等の騒音が大きい場所でも音声を聞き取り易くすることができる。すなわち、上記構成によると、建築現場等での使用に十分に適した電気機器を提供することができる。
【００１７】
上記課題を解決するために本発明はさらに、左右方向に延びる機器本体と、該機器本体を囲むように配置されたフレームガードと、を備え、該機器本体は、該機器本体の前方から視認可能な第１壁部を有し該左右方向に延びるハウジングと、該ハウジング内に収容され映像信号及び音声信号を出力可能なコントローラと、該第１壁部に支持されるとともに該機器本体の該前方から視認可能であり該コントローラから出力される該映像信号に基づいた映像を表示可能な表示面を有するディスプレイと、該ハウジングの左端部に配置され該コントローラから出力される該音声信号に基づいた音声を出力可能な第１スピーカと、該ハウジングの右端部に配置され該コントローラから出力される該音声信号に基づいた音声を出力可能な第２スピーカと、を有し、上下方向に直交する仮想平面を該フレームガードに下方から接触させた場合の該仮想平面と該フレームガードとの接触部分のうちの前端と後端との距離は該表示面の上下方向の寸法よりも大きいことを特徴とする電気機器を提供する。
【００１８】
このような構成によると、上下方向に直交する仮想平面をフレームガードに下方から接触させた場合の当該仮想平面とフレームガードとの接触部分（言い換えれば、電気機器が床や地面等に載置された場合に当該床等に接触する部分）のうちの前端と後端との前後方向における距離は、ディスプレイの表示面の上下方向の寸法よりも大きい。このため、電気機器が前方又は後方に倒れることを抑制することができ、ディスプレイの破損、傷つきを効果的に抑制することができる。すなわち、上記構成によると、建築現場等での使用に十分に適した電気機器を提供することができる。
【００１９】
また、上記構成において、該第１スピーカは該音声を左方向に出力するように配置され、該第２スピーカは該音声を右方向に出力するように配置されていることが好ましい。
【００２０】
このような構成によると、第１及び第２スピーカは、それらの振動板（コーン紙等）がそれぞれ左右方向に開口するように配置される。このため、電気機器の左右方向の寸法を大型化させることなく、第１及び第２スピーカの振動板の直径を比較的大きく構成し、第１及び第２スピーカから出力する音声の音量を大幅に大きくすることが可能となる。
【００２１】
また、上記構成において、該ハウジングは、開口が形成され該第１壁部の後方に位置する第２壁部をさらに有し、該機器本体は、該第２壁部に設けられるとともに該開口を閉じる閉姿勢と該開口を開放する開姿勢との間で開閉可能な開口カバーと、該機器本体を遠隔操作可能な遠隔操作装置を収容可能に該ハウジング内に設けられ該開口が開放されている場合に該開口を介して該ハウジングの外部に露出される収容部と、をさらに有することが好ましい。
【００２２】
このような構成によると、開口カバーを開姿勢として収容部を外部に露出させて遠隔操作装置を収容部に収容することができ、且つ遠隔操作装置を収容部に収容した状態で開口カバーを閉姿勢とすることができる。これにより、遠隔操作装置が雨に濡れたり、紛失したりすることを抑制することができる。
【００２３】
また、上記構成において、該収容部は、該遠隔操作装置を収容した状態で電池パックをさらに収容可能であることが好ましい。
【００２４】
このような構成によると、遠隔操作装置と電池パックとを別々に収容する構成の電気機器と比較して、電気機器をコンパクトにすることができる。
【００２５】
また、上記構成において、該収容部は、該電池パックを収容した状態で該電池パックと電気的に接続可能な電源接続部を有し、該コントローラは、該電源接続部と電気的に接続されていることが好ましい。
【００２６】
このような構成によると、電池パックを電源として利用することが可能となる。これにより、建築現場等の外部交流電源（例えば、商用電源）を使用することが困難な場所での電気機器の使用が可能となり、電気機器の利便性を向上させることができる。
【００２７】
また、上記構成において、該機器本体は、該第１壁部において該ディスプレイの下方に設けられ外部機器と接続可能な外部接続端子をことが好ましい。
【００２８】
このような構成によると、前方から視認可能な第１壁部にディスプレイと外部接続端子が設けられている。このため、外部接続端子が機器本体の側面に設けられている構成と比較して、外部機器を外部接続端子に容易に接続することができる。また、建築現場等においては、機器本体の側面が資材等によって覆われるような姿勢で電気機器を載置しなければならない場合があるが、このような場合に外部機器を確実に外部接続端子に接続することができる。
【００２９】
また、上記構成において、該機器本体は、該第１壁部に設けられ該外部接続端子を覆う閉姿勢と該外部接続端子を露出させる開姿勢との間で開閉可能な端子カバーと、該第１壁部と該端子カバーとの間に設けられ該端子カバーが該閉姿勢に向けて姿勢変化するように該端子カバーを付勢する付勢部材と、をさらに有することが好ましい。
【００３０】
このような構成によると、端子カバーで外部接続端子を覆うことができるため、外部接続端子に埃等が侵入することを抑制することができる。これにより、当該埃等の侵入に起因する外部接続端子と外部機器との接続不良を抑制することができる。また、上記構成によると、開姿勢において、ユーザが端子カバーから手を離すと、付勢部材の付勢力によって自動的に端子カバーは閉姿勢へと姿勢変化するため、ユーザは端子カバーから手を離すのみで端子カバーを閉姿勢とすることができる。これにより、電気機器の利便性を向上させることができる。
【００３１】
また、上記構成において、端子カバーと機器本体との間には、シール部材が設けられていることが好ましい。
【００３２】
このような構成によると、端子カバーの隙間を塞ぐことができるため、外部接続端子に水や埃等の異物が侵入することを抑制することができる。これにより、当該水や埃等の侵入に起因する外部接続端子と外部機器との接続不良を抑制することができる。
【００３３】
また、上記構成において、該機器本体は、該第１壁部における該ディスプレイの上方に設けられ手動操作を受け付ける操作部をさらに有することが好ましい。
【００３４】
このような構成によると、前方から視認可能な第１壁部にディスプレイと手動操作を受け付ける操作部が設けられている。このため、ユーザはディスプレイを見ながら操作部を操作することができる。
【００３５】
また、上記構成において、該コントローラは、ラジオ放送波を受信可能なラジオ放送受信回路と、テレビ放送波を受信可能なテレビ放送受信回路と、を有することが好ましい。
【００３６】
このような構成によると、建築現場等でラジオ放送を聴くことができ、且つテレビ放送を視聴することができる。これにより、ユーザは建築現場等での作業を快適に行うことができる。
【００３７】
また、上記構成において、該コントローラは、選局されたラジオ放送局のラジオ放送に応じた音声信号を出力可能、且つ、選局されたテレビ放送局のテレビ放送に応じた映像信号及び音声信号を出力可能に構成されていることが好ましい。
【００３８】
また、上記構成において、該コントローラは、該選局されたラジオ放送局の周波数を示す画面を該ディスプレイに表示させることが可能に構成されていることが好ましい。
【００３９】
このような構成によると、ユーザは現在選局されているラジオ放送局の周波数をディスプレイ上の画面で確認することができる。これにより、ラジオ放送局の選局が容易となる。
【００４０】
上記課題を解決するために本発明はさらに、開口が形成されたハウジングと、該開口を閉じる閉姿勢と該開口を開放する開姿勢との間で開閉可能な開口カバーと、該ハウジングに設けられ電力によって作動する作動部と、該ハウジング内に収容され該作動部を制御するコントローラと、該コントローラを赤外線で遠隔操作可能な遠隔操作装置を収容可能に該ハウジング内に設けられ該開口が開放されている場合に該開口を介して該ハウジングの外部に露出される収容部と、を備えることを特徴とする電気機器を提供する。
【００４１】
このような構成によると、開口カバーを開姿勢として収容部を外部に露出させて遠隔操作装置を収容部に収容することができ、且つ遠隔操作装置を収容部に収容した状態で開口カバーを閉姿勢とすることができる。これにより、遠隔操作装置が雨に濡れたり、紛失したりすることを抑制することができる。すなわち、上記構成によると、建築現場等での使用に十分に適した電気機器を提供することができる。
【００４２】
また、上記構成において、該収容部は、該遠隔操作装置を収容した状態で電池パックをさらに収容可能であることが好ましい。
【００４３】
また、上記構成において、該収容部は、該電池パックを収容した状態で該電池パックと電気的に接続可能な電源接続部を有し、該コントローラは、該電源接続部と電気的に接続されていることが好ましい。
【００４４】
上記課題を解決するために本発明はさらに、左右方向に延びる機器本体を備え、該機器本体は、該機器本体の前方から視認可能な壁部を有し該左右方向に延びるハウジングと、該ハウジング内に収容され映像信号及び音声信号を出力可能なコントローラと、該壁部に支持されるとともに該機器本体の該前方から視認可能であり該コントローラから出力される該映像信号に基づいた映像を表示可能な表示面を有するディスプレイと、該ディスプレイの右方に配置され該コントローラから出力される該音声信号に基づいた音声を出力可能な第１スピーカと、該ディスプレイの左方に配置され該コントローラから出力される該音声信号に基づいた音声を出力可能な第２スピーカと、該壁部に設けられ外部機器を接続可能な外部接続端子と、を有することを特徴とする電気機器を提供する。
【００４５】
このような構成によると、前方から視認可能な壁部にディスプレイと外部接続端子が設けられている。このため、外部接続端子が機器本体の側面に設けられている構成と比較して、外部機器を外部接続端子に容易に接続することができる。また、建築現場等においては、機器本体の側面が資材等によって覆われるような姿勢で電気機器を載置しなければならない場合があるが、このような場合に外部機器を確実に外部接続端子に接続することができる。すなわち、上記構成によると、建築現場等での使用に十分に適した電気機器を提供することができる。
【００４６】
また、上記構成において、該左右方向における該表示面の寸法は、該左右方向における全長の４０％以上であり、上下方向における該表示面の寸法は、該上下方向における全長の３０％以上であることが好ましい。
【００４７】
このような構成とすると、電気機器の寸法に対する表示面の寸法の割合が比較的大きいため、表示面に表示される映像等をユーザが容易且つ快適に視認することが可能である。
【００４８】
上記課題を解決するために本発明はさらに、左右方向に延びる機器本体と、該機器本体と離間して位置し該左右方向に延びるガードと、を備え、該機器本体は、該機器本体の前方から視認可能な壁部と、該壁部に支持されるとともに該機器本体の該前方から視認可能であり、コントローラから出力される映像信号に基づいた映像を表示可能な表示面を有するディスプレイと、該機器本体の左端部に配置され該コントローラから出力される音声信号に基づいた音声を出力可能な第１スピーカと、該機器本体の右端部に配置され該コントローラから出力される音声信号に基づいた音声を出力可能な第２スピーカと、を有することを特徴とする電気機器を提供する。
【００４９】
このような構成によると、機器本体の左端部及び右端部に大きなスピーカを配置することで電気機器の左右方向の寸法を大きくすることなく、奥行きを持たせることが可能である。これにより電気機器の左右方向の寸法を大きくすることなく大きなスピーカを配置することが可能であり、さらに電気機器が奥行きを持つため、安定した設置が可能となり、建築現場等での使用に適した電気機器を提供することができる。
【００５０】
上記課題を解決するために本発明はさらに、左右方向に延びる機器本体と、該機器本体と離間して位置し該左右方向に延びるガードと、を備え、該機器本体は、外部機器を接続可能な外部接続端子と、該外部接続端子を覆う端子カバーとを有し、該端子カバーと該機器本体との間にはシール部材が設けられていることを特徴とする電気機器を提供する。
【００５１】
このような構成によると、端子カバーの隙間を塞ぐことができるため、外部接続端子に水や埃等の異物が侵入することを抑制することができる。これにより、当該水や埃等の侵入に起因する外部接続端子と外部機器との接続不良を抑制することができ、建築現場等での使用に適した電気機器を提供することができる。
【発明の効果】
【００５２】
本発明によれば、建築現場等での使用に十分に適した電気機器を提供することができる。
【図面の簡単な説明】
【００５３】
【図１】本発明の実施の形態によるポータブルテレビの外観を示す正面図である。
【図２】本発明の実施の形態によるポータブルテレビの外観を示す背面図である。
【図３】本発明の実施の形態によるポータブルテレビの外観を示す左側面図である。
【図４】本発明の実施の形態によるポータブルテレビの外観を示す平面図である。
【図５】本発明の実施の形態によるポータブルテレビの外観を示す底面図である。
【図６】本発明の実施の形態によるポータブルテレビの内部構造を示すＶＩ−ＶＩ断面図である。
【図７】本発明の実施の形態によるポータブルテレビの内部構造を示すＶＩＩ−ＶＩＩ断面図である。
【図８】本発明の実施の形態によるポータブルテレビの外観を示す前方斜視図であり、端子カバーが開姿勢の場合を示している。
【図９】本発明の実施の形態によるポータブルテレビの外観を示す後方斜視図であり、開口カバーが開姿勢の場合を示している。
【図１０】本発明の実施の形態によるポータブルテレビの寸法、機器本体の寸法、及びに液晶ディスプレイの表示面の寸法を示す図である。
【図１１】本発明の実施の形態によるポータブルテレビの操作部を示す図である。
【図１２】本発明の実施の形態によるポータブルテレビの外部接続端子部を示す部分拡大図であり、端子カバーが開姿勢である場合を示している。
【図１３】本発明の実施の形態によるポータブルテレビを遠隔操作可能なリモコンを示す図である。
【図１４】本発明の実施の形態によるポータブルテレビの外観を示す背面図であり、開口カバーが開姿勢の場合を示している。
【図１５】本発明の実施の形態によるポータブルテレビの内部構造を示すＸＩＶ−ＸＩＶ断面図である。
【図１６】本発明の実施の形態によるポータブルテレビの左側面図であり、第１スピーカを示している。
【図１７】本発明の実施の形態によるポータブルテレビの電気的構成を示すブロック図である。
【図１８】本発明の実施の形態によるポータブルテレビの液晶ディスプレイに表示される画面の例を示す図であり、（ａ）はメニュー画面の例を示しており、（ｂ）はラジオ放送用画面を示している。
【発明を実施するための形態】
【００５４】
本発明の実施の形態による電気機器の一例であるポータブルテレビ１について図１乃至図１８を参照しながら説明する。以下の説明において、ポータブルテレビ１が地面Ｇに載置された状態を基準に説明し、図１において紙面の下側から上側に向かう方向を上方向と定義し、逆を下方向と定義する。また、図１において紙面の左側から右側に向かう方向を右方向と定義し、逆を左方向と定義する。さらに、図１において紙面の奥側から手前側に向かう方向を前方向と定義し、逆を後方向と定義する。
【００５５】
図１〜図７に示されているように、ポータブルテレビ１は、左右方向に延びる略三角柱形状の機器本体２と、機器本体２を囲むように配置され機器本体２を保護するフレームガード３と、機器本体２とフレームガード３とを接続するとともに外部からの衝撃を吸収緩和するダンパ部４とを備えている。ポータブルテレビ１は、電池パックＰ（図７）及び外部交流電源（例えば、商用電源）のいずれかを選択的に電源として用いることが可能であり、外部交流電源の確保が困難な建設現場等での使用に好適である。
【００５６】
＜１．機器本体２の形状＞
最初に、機器本体２の形状について説明する。機器本体２は、左右方向に延びる略三角柱形状をなしており、側面視において略正三角形状である。また、機器本体２の形状は、略左右対称である。
【００５７】
図１〜図７に示されているように、機器本体２は、機器本体２の外郭を形成する主たる５つの外表面、すなわち、第１傾斜面２Ａ、第２傾斜面２Ｂ、下面２Ｃ、左側面２Ｄ、及び右側面２Ｅを有している。図６及び図７に示されているように、第１傾斜面２Ａは、その上端部がその下端部よりも後方に位置するように水平面に対して傾斜しており、機器本体２の前方から視認可能（すなわち、正面視において視認可能）である。第２傾斜面２Ｂは、その上端部がその下端部よりも前方に位置するように水平面に対して傾斜している。第２傾斜面２Ｂは、第１傾斜面２Ａの後方に位置しており、機器本体２の後方から視認可能（すなわち、背面視において視認可能）である。下面２Ｃは、第１傾斜面２Ａ及び第２傾斜面２Ｂの下方に位置し、水平面に対して略平行である。また、図１及び図２に示されているように、左側面２Ｄ及び右側面２Ｅは、第１傾斜面２Ａの左方及び右方にそれぞれ位置しており、互いに略平行且つ水平面に対して略垂直である。機器本体２の詳細な構成については後述する。
【００５８】
＜２．ダンパ部４＞
次に、ダンパ部４について説明する。図１〜図５に示されているようにダンパ部４は、フレームガード３と機器本体２とを接続する６個のダンパ４１を備えている。ダンパ４１は、ゴムを材料とした弾性体であり、機器本体２が有する後述のハウジング５の右前端部、右後端部、右上端部、左前端部、左後端部、及び左上端部にそれぞれ１個設けられている。６個のダンパ４１のそれぞれは、ハウジング５から外方に向けて延出している。なお、ダンパ４１は、エラストマ、シリコン、コイルばね、板ばね等の弾性体又は緩衝部材であってもよい。
【００５９】
＜３．フレームガード３＞
次に、フレームガード３について説明する。図１〜図５に示されているように、フレームガード３は、機器本体２を囲むように設けられており、機器本体２の外表面を保護している。
【００６０】
フレームガード３は、水平ガード部３１と、左ガード部３２と、右ガード部３３と、ガード接続部３４とを有している。
【００６１】
＜３−１．水平ガード部３１＞
水平ガード部３１は、樹脂製の左右方向に延びる棒状の第１水平ガード３１Ａと、第２水平ガード３１Ｂと、第３水平ガード３１Ｃとを有している。
【００６２】
図１、図２、図６、及び図７に示されているように、第１水平ガード３１Ａは、機器本体２の上方に位置しており、機器本体２と離間している。第１水平ガード３１Ａは、ポータブルテレビ１の運搬の際にユーザによって主に把持される部分である。図４、図６、及び図７に示されているように、第２水平ガード３１Ｂは、機器本体２の前方に位置しており、機器本体２と離間している。また、第２水平ガード３１Ｂの下端部は、下面２Ｃよりも下方に位置している。第３水平ガード３１Ｃは、機器本体２の後方に位置しており、機器本体２と離間している。また、第３水平ガード３１Ｃの下端部は、下面２Ｃよりも下方に位置している。なお、第１水平ガード３１Ａ、第２水平ガード３１Ｂ、及び第３水平ガード３１Ｃは、樹脂製ではなく金属製（アルミパイプ等）やエラストマ製（硬質ゴム等）でもあっても良い。第１水平ガード３１Ａは、本発明における「ガード」の一例である。
【００６３】
図７に示されているように、第１水平ガード３１Ａの前端部及び第２水平ガード３１Ｂの前端部は、図７に示されている第１直交方向Ｘ１において第１傾斜面２Ａよりも外方に位置している。すなわち、第１水平ガード３１Ａ及び第２水平ガード３１Ｂは、第１直交方向Ｘ１において第１傾斜面２Ａよりも外方に突出している。なお、第１直交方向Ｘ１は、第１傾斜面２Ａに略直交する方向である。また、第１水平ガード３１Ａの後端部及び第２水平ガード３１Ｂの後端部は、図７に示されている第２直交方向Ｘ２において第２傾斜面２Ｂよりも外方に位置している。すなわち、第１水平ガード３１Ａ及び第２水平ガード３１Ｂは、第２直交方向において第２傾斜面２Ｂよりも外方に突出している。なお、第２直交方向Ｘ２は、第２傾斜面２Ｂに略直交する方向である。さらに、第２水平ガード３１Ｂの下端部及び第３水平ガード３１Ｃの下端部は、下面２Ｃよりも上下方向において外方に位置している。すなわち、第２水平ガード３１Ｂ及び第３水平ガード３１Ｃは、上下方向において下面２Ｃよりも外方（下方）に突出している。
【００６４】
＜３−２．左ガード部３２＞
図３、図６、及び図７に示されているように、左ガード部３２は、樹脂製の棒状の第１左ガード３２Ａ、第２左ガード３２Ｂ、及び第３左ガード３２Ｃを有している。なお、第１左ガード３２Ａ、第２左ガード３２Ｂ、及び第３左ガード３２Ｃは、樹脂製ではなく金属製（アルミパイプ等）やエラストマ製（硬質ゴム等）であっても良い。
【００６５】
第１左ガード３２Ａは、図７に示されている第１平行方向Ｙ１に延びている。なお、第１平行方向Ｙ１は、第１直交方向Ｘ１及び左右方向の両方向に直交する方向、言い換えれば、第１傾斜面２Ａと略平行且つ左右方向に直交する方向である。また、第１左ガード３２Ａは、機器本体２の左方に位置し、機器本体２と離間している。
【００６６】
第２左ガード３２Ｂは、第１左ガード３２Ａの後方に位置しており、図７に示されている第２平行方向Ｙ２に延びている。なお、第２平行方向Ｙ２は、第２直交方向Ｘ２及び左右方向の両方向に直交する方向、言い換えれば、第２傾斜面２Ｂと略平行且つ左右方向に直交する方向である。また、第２左ガード３２Ｂは、機器本体２の左方に位置し、機器本体２と離間している。
【００６７】
第３左ガード３２Ｃは、第１左ガード３２Ａ及び第２左ガード３２Ｂの下方に位置しており、前後方向に延びている。また、第３左ガード３２Ｃは、機器本体２の左方に位置するとともに機器本体２と離間している。図６及び図７に示されているように、第３左ガード３２Ｃの下端部は、下面２Ｃよりも下方に位置している。
【００６８】
＜３−３．右ガード部３３＞
図１、図２、及び図５に示されているように、右ガード部３３は、樹脂製の棒状の第１右ガード３３Ａ、第２右ガード３３Ｂ、及び第３右ガード３３Ｃを有している。第１右ガード３３Ａ、第２右ガード３３Ｂ、及び第３右ガード３３Ｃは、機器本体２の右方に位置しており、機器本体２と離間している。第１右ガード３３Ａ、第２右ガード３３Ｂ、及び第３右ガード３３Ｃは、樹脂製ではなく金属製（アルミパイプ等）やエラストマ製（硬質ゴム等）であっても良い。なお、フレームガード３は略左右対称に構成されているため、第１右ガード３３Ａ、第２右ガード３３Ｂ、及び第３右ガード３３Ｃの詳細な説明は省略する。
【００６９】
＜３−４．ガード接続部３４＞
図３及び図４に示されているように、ガード接続部３４は、互いに略同一形状の６個の接続部材３５を有している。６個の接続部材３５によって水平ガード部３１は、左ガード部３２及び右ガード部３３と接続されている。６個の接続部材３５は、６個のダンパ４１と一対一の関係で接続されている。これにより、フレームガード３と機器本体２とが接続されている。以下、６個の接続部材３５は互いに略同一形状であるため、ハウジング５の左上端部に設けられたダンパ４１に接続されている接続部材３５（ハウジング５の左上端部に対応する接続部材３５）を例にとって説明し、他の５個の接続部材３５については説明を省略する。
【００７０】
＜３−４−１．接続部材３５＞
接続部材３５は、一体に形成された第１接続部３５Ａ、第２接続部３５Ｂ、及び第３接続部３５Ｃを有する樹脂製の部材である。ハウジング５の左上端部に対応する接続部材３５は、第１水平ガード３１Ａと第１左ガード３２Ａと第２左ガード３２Ｂと互いに接続（連結）している。
【００７１】
図４に示されているように、第１接続部３５Ａは、第１水平ガード３１Ａと同一の方向（左右方向）に延びる延出部を有しており、当該延出部の端部には嵌合孔が形成されている。第１水平ガード３１Ａの左端部は、当該嵌合孔に嵌込まれた状態でネジによって当該延出部に固定されている。これにより、第１接続部３５Ａと第１水平ガード３１Ａとが接続されている。
【００７２】
図３に示されているように、第２接続部３５Ｂは、第１左ガード３２Ａと同一の方向（第１平行方向Ｙ１）に延びる延出部を有しており、当該延出部の端部には嵌合孔が形成されている。第１左ガード３２Ａの上端部は、当該嵌合孔に嵌込まれた状態でネジによって当該延出部に固定されている。これにより、第２接続部３５Ｂと第１左ガード３２Ａとが接続されている。
【００７３】
第３接続部３５Ｃは、第２左ガード３２Ｂと同一の方向（第２平行方向Ｙ２）に延びる延出部を有しており、当該延出部の端部には嵌合孔が形成されている。第２左ガード３２Ｂの上端部は、当該嵌合孔に嵌込まれた状態でネジによって当該延出部に固定されている。これにより、第３接続部３５Ｃと第２左ガード３２Ｂとが接続されている。
【００７４】
＜４．機器本体２の詳細な構成＞
次に、機器本体２の詳細な構成について説明する。図１乃至図７に示されているように、機器本体２は、ハウジング５と、映像出力部６と、外部接続端子部７と、端子カバー部８と、操作部９と、開口カバー１０と、収容部１１と、アンテナ１２と、第１スピーカ１３と、第２スピーカ１４と、制御基板１５と、制御基板１５上に配置されたコントローラ１８及びアンプ１９とを備えている。機器本体２は、デジタルテレビ放送等のテレビ放送波を受信してテレビ放送を映像及び音声として出力するテレビ機能、ＡＭ、ＦＭ等のラジオ放送波を受信してラジオ放送を音声として出力するラジオ機能、機器本体２に接続された外部機器（例えば、ＳＤカード、ＵＳＢメモリ、マイクロＵＳＢメモリ等の外部記憶媒体）及び無線通信可能な外部機器（例えば、スマートフォンやタブレット等の端末装置）に記憶された音声ファイル、画像ファイル、及び動画ファイルを再生し音声として又は音声及び映像として出力するファイル再生機能を備えている。
【００７５】
＜４−１．ハウジング５＞
図１〜図５に示されているように、ハウジング５は、左右方向に延びる略三角柱形状をなしており、前後方向に並ぶ第１傾斜壁部５１及び第２傾斜壁部５２と、下壁部５３と、左壁部５４と、右壁部５５とを有している。
【００７６】
＜４−１−１．第１傾斜壁部５１＞
図６〜図８に示されているように、第１傾斜壁部５１は、その上端部がその下端部よりも後方に位置するように水平面に対して傾斜しており、機器本体２の前方から視認可能である。第１傾斜壁部５１の外表面は、機器本体２の第１傾斜面２Ａの一部を構成している。第１傾斜壁部５１には、第１直交方向Ｘ１から見て左右方向に延びる略矩形状の第１開口２１ａが形成されている。また、第１傾斜壁部５１における第１開口２１ａの下方には、左右方向に延びるとともに後方に窪む凹部５１ｂが形成されている。第１傾斜壁部５１は、本発明における「第１壁部」及び「壁部」の一例である。
【００７７】
＜４−１−２．第２傾斜壁部５２＞
図６、図７、及び図９に示されているように、第２傾斜壁部５２は、その上端部がその下端部よりも前方に位置するように水平面に対して傾斜している。第２傾斜壁部５２は、第１傾斜壁部５１の後方に位置しており、機器本体２の後方から視認可能である。第２傾斜壁部５２の外表面は、機器本体２の第２傾斜面２Ｂの一部を構成している。第２傾斜壁部５２には、第２直交方向から見て略正方形状の第２開口５２ａが形成されている。第２傾斜壁部５２における第２開口５２ａの上方には、開口カバー１０と係合可能な係合部５２Ａが設けられている。第２傾斜壁部５２は、本発明における「第２壁部」の一例である。第２開口５２ａは、本発明における「開口」の一例である。
【００７８】
また、図７及び図９に示されているように、第２傾斜壁部５２において第２開口５２ａの下方には、開口カバー１０を回動可能に支持する左右方向に延びる軸部５２Ｂが設けられている。さらに、第２傾斜壁部５２における第２開口５２ａの右方には、アダプタ接続部５２Ｃが設けられている。アダプタ接続部５２Ｃは、後述のアダプタＡのアダプタ端子（不図示）と接続可能な図示せぬアダプタ接続端子と、アダプタ接続端子を外部に露出させる開姿勢とアダプタ接続端子を覆う閉姿勢との間で開閉可能なカバー５２Ｄとを有している。アダプタ接続端子は、配線や電圧調整回路等を介してコントローラ１８、アンプ１９、液晶ディスプレイ６２等に電気的に接続されている。
【００７９】
＜４−１−３．下壁部５３＞
図６及び図７に示されているように、下壁部５３は、第１傾斜壁部５１及び第２傾斜壁部５２の下方に位置しており、水平面と略平行である。下壁部５３の外表面は、機器本体２の下面２Ｃの一部を構成している。
【００８０】
＜４−１−４．左壁部５４＞
図３及び図８に示されているように、左壁部５４は、第１傾斜壁部５１の左端部、第２傾斜壁部５２の左端部、及び下壁部５３の左端部を接続しており、水平面に対して略垂直である。また、左壁部５４の左側面視中央部分には、左右方向に左壁部５４を貫通する複数の孔が形成されている。左壁部５４の外表面は、機器本体２の左側面２Ｄの一部を構成している。
【００８１】
＜４−１−５．右壁部５５＞
図９に示されているように、右壁部５５は、第１傾斜壁部５１の右端部、第２傾斜壁部５２の右端部、及び下壁部５３の右端部を接続する壁であり、水平面に対して略垂直である。また、右壁部５５の右側面中央部分には、左右方向に右壁部５５を貫通する複数の孔が形成されている。右壁部５５の外表面は、機器本体２の右側面２Ｅの一部を構成している。
【００８２】
＜４−２．映像出力部６＞
図１、及び図６〜図８に示されているように、映像出力部６は、保護パネル６１及び液晶ディスプレイ６２を有している。
【００８３】
＜４−２−１．保護パネル６１＞
保護パネル６１は、液晶ディスプレイ６２を保護するための透明色のアクリル樹脂製の薄板であり、第１直交方向Ｘ１から見て左右方向に延びる略矩形状をなしている。保護パネル６１は、第１傾斜壁部５１の第１開口５１ａに嵌込まれた状態で第１傾斜壁部５１に支持されている。また、保護パネル６１の外表面は、第１傾斜壁部５１の外表面と略面一であり、機器本体２の第１傾斜面２Ａの一部を構成している。
【００８４】
＜４−２−２．液晶ディスプレイ６２＞
液晶ディスプレイ６２は、第１傾斜壁部５１の後面に設けられたリブ等によって支持されるとともに保護パネル６１に取付けられている。液晶ディスプレイ６２は、第１直交方向Ｘ１において保護パネル６１よりも内方に位置している。すなわち、液晶ディスプレイ６２は、第１直交方向Ｘ１において、第１傾斜面２Ａよりも内方に位置している。このため、第１水平ガード３１Ａ及び第２水平ガード３１Ｂは、第１直交方向Ｘ１において液晶ディスプレイ６２よりも外方に突出している。液晶ディスプレイ６２は、配線等でコントローラ１８に電気的に接続されており、コントローラ１８から出力される映像信号に基づいた映像を表示可能に構成されている。液晶ディスプレイ６２における映像を表示する面すなわち表示面６２Ａは、機器本体２の前方から（すなわち、正面視において）透明色の保護パネル６１を介して視認可能であり、表示面６２Ａの画面サイズ（すなわち、液晶ディスプレイ６２の画面サイズ）は８インチである。なお、本実施の形態においては、液晶ディスプレイ６２の画面サイズは８インチであるが、これに限定されない。例えば、液晶ディスプレイ６２の画面サイズは、６〜１２インチが好ましい。液晶ディスプレイ６２は、本発明における「ディスプレイ」及び「作動部」の一例である。
【００８５】
図１０に示されているように、機器本体２の左右方向の寸法Ｍ１（すなわち、機器本体２の左右方向における全長）に対する表示面６２Ａの左右方向における寸法Ｄ１の割合は、略５６％に構成されている。また、ポータブルテレビ１の左右方向の寸法Ｅ１（すなわち、ポータブルテレビ１の左右方向における全長）に対する寸法Ｄ１の割合は、略４３％に構成されている。なお、図１０においては、表示面６２Ａに網掛けを施している。図６及び図１０に示されているように、機器本体２の上下方向の寸法Ｍ２（すなわち、機器本体２の上下方向における全長）に対する表示面６２Ａの上下方向の寸法Ｄ２の割合は、略４３％に構成されている。また、ポータブルテレビ１の上下方向の寸法Ｅ２（すなわち、ポータブルテレビ１の上下方向における全長）に対する寸法Ｄ２の割合は、略３２％に構成されている。このように、ポータブルテレビ１においては、機器本体２及びポータブルテレビ１の全長に対する表示面６２Ａの寸法の割合が比較的大きいため、液晶ディスプレイ６２の表示面６２Ａに表示される映像等をユーザが容易且つ快適に視認することが可能である。なお、機器本体２の全長に対する表示面６２Ａの寸法の割合は、上記数値に限定されず、寸法Ｍ１に対する寸法Ｄ１の割合が５０％以上であり、且つ寸法Ｍ２に対する寸法Ｄ２の割合が４０％以上であれば、液晶ディスプレイ６２の表示面６２Ａに表示される映像等をユーザが容易且つ快適に視認可能である。さらに、ポータブルテレビ１の全長に対する表示面６２Ａの寸法の割合は、上記数値に限定されず、寸法Ｅ１に対する寸法Ｄ１の割合が４０％以上であり、且つ寸法Ｅ２に対する寸法Ｄ２の割合が３０％以上であれば、液晶ディスプレイ６２の表示面６２Ａに表示される映像等をユーザが容易且つ快適に視認可能である。なお、液晶ディスプレイが横長の場合についての説明をしたが、液晶ディスプレイが縦長の場合はこの限りではない。
【００８６】
また、図６に示されているように、ポータブルテレビ１が床や地面等に載置された場合に当該床等に接触する部分（言い換えれば、上下方向に直交する仮想平面をフレームガード３に下方から接触させた場合の当該仮想平面とフレームガード３との接触部分）のうちの前端Ｓと後端Ｔとの前後方向における距離Ｕは、表示面６２Ａの上下方向の寸法Ｄ２よりも大きい。このため、ポータブルテレビ１が前方又は後方に倒れることを抑制することができ、保護パネル６１及び液晶ディスプレイ６２（特に、表示面６２Ａ）の破損、傷つきを効果的に抑制することができる。なお、本実施形態においては、図６及び図７に示されているように、ポータブルテレビ１が床等に載置された場合、ハウジング５の左前端部、左後端部、右前端部、及び右後端部にそれぞれ対応する４個の接続部材３５が当該床等に接触する。
【００８７】
＜４−３．外部接続端子部７＞
図７及び図８に示されているように、外部接続端子部７は、第１傾斜壁部５１に設けられており、映像出力部６の下方に位置している。より詳細には、第１傾斜壁部５１の凹部５１ｂに設けられている。外部接続端子部７は、複数種類の外部機器のそれぞれと対応した複数の外部接続端子を有している。より詳細には、外部接続端子部７は、接続可能な外部機器の種類が互いに異なる第１外部接続端子７Ａ、第２外部接続端子７Ｂ、第３外部接続端子７Ｃ、第４外部接続端子７Ｄ、第５外部接続端子７Ｅ、及び第６外部接続端子７Ｆを有している。第１〜第６外部接続端子７Ａ〜７Ｆは、配線等によってコントローラ１８に電気的に接続されている。
【００８８】
第１〜第４外部接続端子７Ａ〜７Ｄには、外部機器として外部記憶媒体が接続可能であり、第１〜第４外部接続端子７Ａ〜７Ｄのそれぞれに接続された外部記憶媒体とコントローラ１８との間では、当該外部記憶媒体に記憶された情報（音声ファイル、画像ファイル、動画ファイル、設定情報等）の送受信が可能である。本実施の形態においては、一例として、第１外部接続端子７ＡにはミニＢ−ＣＡＳカードが、第２外部接続端子７ＢにはマイクロＵＳＢメモリが、第３外部接続端子７ＣにはＵＳＢメモリが、第４外部接続端子７ＤにはＳＤカードが接続可能である。なお、外部接続端子の数や接続可能な外部記憶媒体の種類はこれらに限られず、ミニＵＳＢ等であってもよい。
【００８９】
第５外部接続端子７Ｅには、外部機器として映像音声再生機器が接続可能である。また、第６外部接続端子７Ｆには、外部機器としてイヤフォンやヘッドフォン等が接続可能である。
【００９０】
＜４−４．端子カバー部８＞
図１２に示されているように、端子カバー部８は、端子カバー８１と付勢部材８２とを有している。
【００９１】
端子カバー８１は、図１の状態（閉姿勢の状態）において正面視で左右方向に延びる略矩形状をなす樹脂製の部材であり、端子カバー８１は、第１〜第６外部接続端子７Ａ〜７Ｆ（外部接続端子部７）を覆う閉姿勢と第１〜第６外部接続端子７Ａ〜７Ｆ（外部接続端子部７）をハウジング５の外部に露出させる開姿勢との間で開閉可能に第１傾斜壁部５１に設けられている。より詳細には、端子カバー８１は、短手方向における一端部が図示せぬ軸部を介して第１傾斜壁部５１の凹部５１ｂの下端部に接続されており、当該図示せぬ軸部を中心に開姿勢と閉姿勢との間で回動可能に構成されている。端子カバー８１によって、第１〜第６外部接続端子７Ａ〜７Ｆに埃等が侵入することを抑制することができ、当該埃等の侵入に起因する第１〜第６外部接続端子７Ａ〜７Ｆと外部機器との接続不良を抑制することができる。なお、本実施の形態において、端子カバー８１は樹脂製であるが、金属製等であってもよい。
【００９２】
端子カバー８１には、シール部材８３が設けられている。シール部材８３により端子カバー８１と機器本体２との隙間から水や埃等の異物が侵入することを抑制することができ、当該埃等の侵入に起因する第１〜第６外部接続端子７Ａ〜７Ｆと外部機器との接続不良を抑制することができる。シール部材８３は端子カバー８１に限らず、端子カバー８１と機器本体２の間に配置する構成であってもよい。
【００９３】
付勢部材８２は、左右方向に延びる板形状のゴム製の弾性体であり、端子カバー８１と第１傾斜壁部５１との間に設けられている。より詳細には、付勢部材８２の短手方向における一端部は、凹部５１ｂの下端部において図示せぬ軸部の上方に接続されており、付勢部材８２の短手方向における他端部は、端子カバー８１の短手方向における一端部に接続されている。
【００９４】
付勢部材８２は、端子カバー８１が閉姿勢に向けて姿勢変化するように端子カバー８１を付勢している。具体的には、付勢部材８２は、左側面視において端子カバー８１を図示せぬ軸部を中心に反時計回り方向、すなわち、図１２の矢印Ｆによって示されている方向に付勢している。本実施の形態においては、付勢部材８２はゴム製の弾性体であるが、これに限られず、端子カバー８１が閉姿勢に向けて姿勢変化するように端子カバー８１を付勢する部材であればよく、例えば、板ばねやトーションばねであってもよい。
【００９５】
端子カバー８１は、外力が加えられていない状態においては付勢部材８２の付勢力によって閉姿勢（図１及び図７の状態）に維持されている。一方、端子カバー８１は、ユーザが付勢部材８２の付勢力に抗して前方（左側面視において図示せぬ軸部を中心に時計回り方向）に端子カバー８１を回動させることで開姿勢（図８及び図１２の状態）となる。また、開姿勢において、ユーザが端子カバー８１から手を離すと、付勢部材８２の付勢力によって自動的に端子カバー８１は閉姿勢へと姿勢変化する。なお、端子カバー８１の外表面は、閉姿勢において第１傾斜面２Ａの一部を構成している。
【００９６】
＜４−５．操作部９＞
図１及び図８に示されているように、操作部９は、第１傾斜壁部５１において映像出力部６の上方に設けられており、左右方向に延びている。操作部９は、ユーザによる手動操作を受け付ける部分であり、ユーザは、操作部９に対して操作を行うことで機器本体２の様々な機能を利用可能である。
【００９７】
図１１に示されているように、操作部９は、手動操作可能な複数の操作ボタンを有している。当該複数の操作ボタンは、左右方向に並んで設けられており、電源ボタン９１、メニューボタン９２、第１音量ボタン９３、第２音量ボタン９４、第１制御ボタン９５、第２制御ボタン９６、第３制御ボタン９７、及びソースボタン９８等を含んでいる。操作部９は、配線等でコントローラ１８に電気的に接続されており、ユーザによって操作されたボタンに応じた信号をコントローラ１８に出力するように構成されている。
【００９８】
電源ボタン９１は、機器本体２の電源のオン／オフを制御するためのボタンである。メニューボタン９２は、各種設定の一覧を液晶ディスプレイ６２（映像出力部６）に表示させるためのボタンである。第１音量ボタン９３及び第２音量ボタン９４は、機器本体２（第１スピーカ１３及び第２スピーカ１４）から出力される音声の音量を制御（調整）するためのボタンである。第１制御ボタン９５、第２制御ボタン９６、及び第３制御ボタン９７は、液晶ディスプレイ６２に表示されたメニュー画面Ｓ１上等での選択及び決定、並びに、液晶ディスプレイ６２に表示された映像の巻き戻し、早送り、再生、及び一時停止等を行うためのボタンである。ソースボタン９８は、後述のメニュー画面Ｓ１（図１８（ａ））を液晶ディスプレイ６２に表示させるためのボタンである。
【００９９】
＜４−６．開口カバー１０＞
図２及び図９に示されているように、開口カバー１０は、第２開口５２ａと略同一形状をなしており、第２開口５２ａを閉じる閉姿勢と第２開口５２ａを開放する開姿勢との間で開閉可能に第２傾斜壁部５２に設けられている。より詳細には、閉姿勢における開口カバー１０の下端部が軸部５２Ｂに接続されており、軸部５２Ｂを中心に開姿勢と閉姿勢との間で回動可能に構成されている。
【０１００】
また、閉姿勢における開口カバー１０の上端部の左右方向の略中央には、第２傾斜壁部５２の係合部５２Ａと係合可能な被係合部１０Ａが設けられている。開口カバー１０は、係合部５２Ａと被係合部１０Ａとが係合した状態で閉姿勢（図２及び図４の状態）となり、係合部５２Ａと被係合部１０Ａとの係合が解除された状態で開口カバー１０を後方に向けて回動させることで開姿勢（図９の状態）となる。なお、開口カバー１０の外表面は、閉姿勢において第２傾斜壁部５２の外表面と略面一であり、第２傾斜面２Ｂの一部を構成している。
【０１０１】
＜４−７．電池パックＰ、アダプタＡ、及びリモコンＲ＞
ここで、収容部１１の詳細を説明する前に、収容部１１に収容される電池パックＰ、アダプタＡ、及びリモコンＲについて説明する。電池パックＰは、電動工具に着脱可能に構成され、電動工具の電源として用いることが可能な充電式バッテリである。電池パックＰは、図７及び図９に示されているように、略直方体形状をなすケースと、ケース内に収容された複数の二次電池セル（不図示）と、電動工具と接続可能に構成された工具接続部（不図示）とを有している。また、電池パックＰの工具接続部は、当該複数の二次電池セルと電気的に接続された複数の端子を有している。
【０１０２】
アダプタＡは、機器本体２（ポータブルテレビ１）の電源として外部交流電源（例えば、商用電源）を使用する場合に、当該外部交流電源と機器本体２（ポータブルテレビ１）とを接続するために使用されるＡＣアダプタである。図６に示されているように、アダプタＡは、外部交流電源から出力される交流電圧を直流電圧に変換する変換回路を収容している略直方体形状のケースＡ１と、当該ケースから突出するプラグＡ２と、当該ケースから延出するケーブル（不図示）と、当該ケーブルの先端に設けられたアダプタ端子（不図示）とを有している。なお、アダプタＡのアダプタ端子をアダプタ接続部５２Ｃのアダプタ接続端子に接続し、且つアダプタＡのプラグＡ２を家庭用コンセントに接続することで、外部交流電源を機器本体２の電源として利用可能な状態となる。すなわち、機器本体２は、アダプタＡを介して外部交流電源に接続された状態で、外部交流電源を電源として利用することが可能に構成されている。より詳細には、アダプタＡのアダプタ端子をアダプタ接続部５２Ｃのアダプタ接続端子に接続し、且つアダプタＡのプラグＡ２を家庭用コンセントに接続した状態においては、コントローラ１８、アンプ１９、及び液晶ディスプレイ６２等が外部交流電源と電気的に接続され、外部交流電源の電力をコントローラ１８、アンプ１９、及び液晶ディスプレイ６２等に供給可能な状態となる。
【０１０３】
リモコンＲは、機器本体２（より詳細には、コントローラ１８）を赤外線で遠隔操作可能な遠隔操作装置であり、図６及び図１３に示されているように所定の方向に延びる板形状をなしている。リモコンＲは、手動操作可能な複数のボタンを有しており、ユーザによって操作されたボタンに応じた赤外線信号を出力するように構成されている。リモコンＲが出力した赤外線信号は、機器本体２に設けられた図示せぬ赤外線受光部によって受信される。ユーザは、リモコンＲに対して操作を行うことで機器本体２の様々な機能を利用可能である。リモコンＲは、本発明における「遠隔操作装置」の一例である。
【０１０４】
図１３に示されているように、リモコンＲの複数のボタンは、リモコンＲの一方の面に配置されており、電源ボタンＲ１、メニューボタンＲ２、音量ボタンＲ３、選局ボタンＲ４、十字型ボタンＲ５、決定ボタンＲ６、第１制御ボタン群Ｒ７、及び第２制御ボタン群Ｒ８、ソースボタンＲ９、外部通信ボタンＲ１０、テレビボタンＲ１１、及びラジオボタンＲ１２等を含んでいる。
【０１０５】
電源ボタンＲ１は、機器本体２の電源のオン／オフを制御するためのボタンである。メニューボタンＲ２は、各種設定の一覧を液晶ディスプレイ６２に表示させるためのボタンである。音量ボタンＲ３は、機器本体２（第１スピーカ１３及び第２スピーカ１４）から出力される音声の音量を制御（調整）するためのボタンである。選局ボタンＲ４は、ラジオ放送やテレビ放送の選局を行うためのボタンである。十字型ボタンＲ５は、メニュー画面Ｓ１上等での選択を行うためのボタンである。決定ボタンＲ６は、メニュー画面Ｓ１上等で決定を行うためのボタンである。第１制御ボタン群Ｒ７は、メニュー画面Ｓ１上等での数値入力や選局を行うためのボタン群である。第２制御ボタン群Ｒ８は、液晶ディスプレイ６２に表示された映像の巻き戻し、早送り、再生、及び一時停止等を行うためのボタン群である。ソースボタンＲ９は、メニュー画面Ｓ１（図１８（ａ））を液晶ディスプレイ６２に表示させるためのボタンである。外部通信ボタンＲ１０は、無線通信可能な外部機器（端末装置等）の一覧を液晶ディスプレイ６２に表示させるためのボタンである。テレビボタンＲ１１は、機器本体２のテレビ機能を利用するためのボタンである。ラジオボタンＲ１２は、機器本体２のラジオ機能を利用するためのボタンである。
【０１０６】
＜４−８．収容部１１＞
図６、図７、及び図９に示されているように、収容部１１は、ハウジング５内部の左右方向略中央且つ後部に設けられている。収容部１１は、電池パックＰを収容可能なバッテリ収容部１１１と、アダプタＡを収容可能なアダプタ収容部１１２と、リモコンＲを収容可能なリモコン収容部１１３とを備えており、電池パックＰ、アダプタＡ、及びリモコンＲを同時に収容可能である。収容部１１は、第２傾斜壁部５２に形成された第２開口５２ａが開放されている場合、第２開口５２ａを介してハウジング５の外部に露出され、第２開口５２ａが開口カバー１０によって閉じられている場合には、開口カバー１０によって覆われる。なお、開口カバー１０は、収容部１１に電池パックＰ、アダプタＡ、及びリモコンＲが収容された状態で、開姿勢と閉姿勢との間で開閉可能である。
【０１０７】
＜４−８−１．バッテリ収容部１１１＞
図１４に示されているように、バッテリ収容部１１１は、右ガイドリブ１１１Ａ、左ガイドリブ１１１Ｂ、ガイド壁１１１Ｃ、及び電源接続部１１１Ｄを有している。右ガイドリブ１１１Ａ及び左ガイドリブ１１１Ｂは、電池パックＰのバッテリ収容部１１１への収容を案内するリブであり、左右方向において互いに所定の間隔を空けて設けられている。ガイド壁１１１Ｃは、右ガイドリブ１１１Ａ及び左ガイドリブ１１１Ｂと協働して電池パックＰのバッテリ収容部１１１への収容を案内する壁である。ガイド壁１１１Ｃは、右ガイドリブ１１１Ａ及び左ガイドリブ１１１Ｂの前方に位置しており、第１平行方向Ｙ１に延びている。電源接続部１１１Ｄは、電池パックＰがバッテリ収容部１１１に収容された状態（図７及び図９の状態）で電池パックＰの工具接続部と接続される部分であり、ガイド壁１１１Ｃの下部に設けられている。また、電源接続部１１１Ｄは、電池パックＰの工具接続部と電源接続部１１１Ｄとが接続された状態で電池パックＰの複数の端子と接続される複数の電源接続端子１１１Ｅを有している。複数の電源接続端子１１１Ｅは、配線や電圧調整回路等を介してコントローラ１８、アンプ１９、液晶ディスプレイ６２等に電気的に接続されている。
【０１０８】
電池パックＰがバッテリ収容部１１１に収容され電池パックＰの工具接続部と電源接続部１１１Ｄとが接続された状態（図７及び図９）となると、複数の電源接続端子１１１Ｅと電池パックＰの複数の端子が接続される。これにより、電池パックＰを機器本体２の電源として利用可能な状態となる。すなわち、すなわち、機器本体２は、電池パックＰと電源接続部１１１Ｄとが接続された状態で電池パックＰを電源として利用することが可能に構成されている。より詳細には、機器本体２は、アダプタＡを介して外部交流電源に接続された状態で、外部交流電源を電源として利用することが可能に構成されている。より詳細には、複数の電源接続端子１１１Ｅと電池パックＰの複数の端子が接続された状態においては、電池パックＰ内の複数の二次電池とコントローラ１８、アンプ１９、液晶ディスプレイ６２等が電気的に接続され、電池パックＰの複数の二次電池の電力をコントローラ１８、アンプ１９、及び液晶ディスプレイ６２等に供給可能な状態となる。
【０１０９】
＜４−８−２．アダプタ収容部１１２＞
アダプタ収容部１１２は、バッテリ収容部１１１の左方に位置しており、図６及び図９に示されているように、アダプタ収容部１１２は、仕切壁１１２Ａ、前壁１１２Ｂ、後壁１１２Ｃ、及び側壁１１２Ｄを有している。仕切壁１１２Ａは、アダプタ収容部１１２とバッテリ収容部１１１とを仕切る壁であり、上方向に突出するとともに前後方向に延びている。前壁１１２Ｂは、第１傾斜壁部５１と略平行な壁であり、仕切壁１１２Ａの前端部から左方向に延びている。後壁１１２Ｃは、前壁１１２Ｂの後方に位置する階段状の壁であり、仕切壁１１２Ａの後部から左方向に延びている。側壁１１２Ｄは、収容部１１の左端に位置する壁であり、前壁１１２Ｂ及び後壁１１２Ｃの左端と接続されている。図６に示されているように、仕切壁１１２Ａ、前壁１１２Ｂ、後壁１１２Ｃ、及び側壁１１２Ｄによって画成された空間にアダプタＡを収容可能である。アダプタＡは、前壁１１２Ｂ及び後壁１１２Ｃによって支持された状態で、アダプタ収容部１１２に収容される。
【０１１０】
＜４−８−３．リモコン収容部１１３＞
図６及び図９に示されているように、リモコン収容部１１３は、収容部１１においてアダプタ収容部１１２の上方に設けられており、支持壁１１３Ａ、一対のリブ１１３Ｂ、接続壁１１３Ｃ、及び屈曲壁１１３Ｄを有している。支持壁１１３Ａは、アダプタ収容部１１２の後壁１１２Ｃの上端部から後方に突出するとともに左右方向に延びる壁である。一対のリブ１１３Ｂは、支持壁１１３Ａの後端部の左右方向両端からそれぞれ第２直交方向Ｘ２に突出するとともに左右方向に所定の寸法を有している。接続壁１１３Ｃは、アダプタ収容部１１２の前壁１１２Ｂから連続して上方向に延びており、前壁１１２Ｂと屈曲壁１１３Ｄとを接続している。屈曲壁１１３Ｄは、接続壁１１３Ｃの上端部に接続されており、側面視Ｌ字に屈曲している。図６に示されているように、リモコンＲは、その長手方向端部が支持壁１１３Ａ及び一対のリブ１１３Ｂに支持され且つその長手方向他端部が屈曲壁１１３Ｄの上部に当接した状態で、リモコン収容部１１３に収容される。
【０１１１】
＜４−９．アンテナ１２＞
図９に示されているように、アンテナ１２は、第２傾斜壁部５２において第２開口５２ａ上部の右方に自在継手を介して接続されており、ユーザが所望の方向に延出させることが可能に構成されている。また、アンテナ１２は、配線等によってコントローラ１８に電気的に接続されている。なお、図２、図４、及び図１４においては、図面の煩雑を避けるためアンテナ１２の図示を省略している。
【０１１２】
＜４−１０．第１スピーカ１３及び第２スピーカ１４＞
図１５及び図１６に示されているように、第１スピーカ１３は、ハウジング５の左端部に設けられており、液晶ディスプレイ６２の左方に位置している。図１６に示されているように、第１スピーカ１３は、振動板１３Ａを有するパッシブスピーカであり、アンプ１９等を介してコントローラ１８に電気的に接続されている。また、第１スピーカ１３は、振動板１３Ａの振動方向が左右方向となり且つ振動板１３Ａが左方向に開口するように配置されている。すなわち、第１スピーカ１３は、左方向に音声を出力するように配置されている。また、本実施の形態においては、振動板１３Ａとしてコーン紙を用いており、図１６に示されているように、振動板１３Ａの直径Ｈは９０ｍｍである。さらに、第１スピーカ１３の最大入力は２０Ｗであり、最大出力音圧は、８３ｄｂである。なお、図１６においては、第１スピーカ１３を示すために、左壁部５４の中央部を捨象している。第１スピーカ１３は、本発明における「作動部」の一例である。
【０１１３】
図１５に示されているように、第２スピーカ１４は、ハウジング５の右端部に設けられており、液晶ディスプレイ６２の右方に位置している。第２スピーカ１４は、第１スピーカ１３と同様に、振動板を有するパッシブスピーカであり、アンプ１９等を介してコントローラ１８に電気的に接続されている。第２スピーカ１４は、当該振動板の振動方向が左右方向となり且つ当該振動板が右方向に開口するように配置されている。すなわち、第２スピーカ１４は、右方向に音声を出力するように配置されている。また、本実施の形態においては、当該振動板としてコーン紙を用いており、当該振動板の直径は９０ｍｍである。さらに、第２スピーカ１４の性能は第１スピーカ１３と同一であり、第２スピーカ１４の最大入力は２０Ｗであり、最大出力音圧は、８３ｄｂである。第２スピーカ１４は、本発明における「作動部」の一例である。
【０１１４】
上述したように、本実施の形態においては、第１スピーカ１３及び第２スピーカ１４の最大入力は２０Ｗであり、６〜１２インチの画面サイズを有するディスプレイを備えた従来のポータブルテレビにおけるスピーカの最大入力よりも大幅に大きい。なお、従来のポータブルテレビの一例であるパナソニック社製のポータブルテレビ（ＳＶ−ＭＥ７０００）においては、ディスプレイの画面サイズは１０インチ且つスピーカは０．８Ｗ×２である。さらに、従来のポータブルテレビの一例であるアーウィンジャパン社製のポータブルテレビ（ＡＰＤ−１０６Ｆ）においては、ディスプレイの画面サイズは１０．１インチ且つスピーカは２Ｗ×２である。このように、本実施の形態における第１スピーカ１３及び第２スピーカ１４の最大入力は、従来製品と比較して大幅に大きい。
【０１１５】
また、第１スピーカ１３の振動板１３Ａの直径Ｈ及び第２スピーカ１４の振動板の直径は、それぞれ９０ｍｍであり、６〜１２インチの画面サイズを有するディスプレイを備えた従来のポータブルテレビにおけるスピーカの振動板の直径よりも大幅に大きい。このため、本実施の形態によるポータブルテレビ１においては、第１スピーカ１３及び第２スピーカ１４から出力する音声の音量を、６〜１２インチの画面サイズのディスプレイを有する従来のポータブルテレビと比較して、大幅に大きくすることができる。これにより、建築現場等の騒音が大きい場所でも音声を聞き取り易くすることができる。
【０１１６】
本実施の形態においては、第１スピーカ１３及び第２スピーカ１４のそれぞれの最大入力は２０Ｗであったが、これに限定されない。例えば、６〜１２インチの画面サイズを有するディスプレイを備えるポータブルテレビ（電気機器）において、一対のスピーカのそれぞれの最大入力が５Ｗ以上であれば、建築現場等の騒音が大きい場所でも音声を十分聞き取り易くすることができ、５〜２０Ｗが好ましい。また、本実施の形態においては、第１スピーカ１３及び第２スピーカ１４の振動板の直径は９０ｍｍであったが、これに限定されない。例えば、６〜１２インチの画面サイズを有するディスプレイを備えるポータブルテレビ（電気機器）において、一対のスピーカのそれぞれの振動板の直径が５０〜１２０ｍｍであれば、建築現場等の騒音が大きい場所でも音声を十分聞き取り易くすることができる。さらに、本実施の形態においては、第１スピーカ１３及び第２スピーカ１４のそれぞれの最大出力音圧は８３ｄｂであったが、これに限定されない。例えば、６〜１２インチの画面サイズを有するディスプレイを備えるポータブルテレビ（電気機器）において、一対のスピーカのそれぞれの最大出力音圧が５０〜１２０ｄｂであれば、建築現場等の騒音が大きい場所でも音声を十分聞き取り易くすることができる。
【０１１７】
＜４−１１．制御基板１５＞
制御基板１５は、平面視略矩形状をなしており、図６及び図７に示されているように、ハウジング５の内部において第１傾斜壁部５１の後方に位置している。制御基板１５は、ハウジング５内部において、第１傾斜壁部５１の凹部５１ｂを形成している部分の後部から後方に突出するリブ等に支持されている。
【０１１８】
＜５．機器本体２の電気的構成＞
次に、図１７を参照しながら、機器本体２の電気的構成について説明する。図１７に示されているように、制御基板１５には、無線通信インターフェース１６、赤外線信号変換回路１７、コントローラ１８、アンプ１９等が実装されている。
【０１１９】
＜５−１．無線通信インターフェース１６＞
無線通信インターフェース１６は、外部機器と無線通信を行うための装置（ハードウェア）である。無線通信インターフェース１６は、コントローラ１８に接続されており、コントローラ１８とデータ通信可能に構成されている。本実施の形態においては、無線通信インターフェース１６は、外部機器（例えば、スマートフォンやタブレット等の端末装置）とブルートゥース（登録商標）通信可能に構成されている。なお、本実施形態における無線通信インターフェース１６が行う無線通信は、ブルートゥース（登録商標）通信に限らず、ＮＦＣ通信やＷｉＦｉ（登録商標）等でもよい。
【０１２０】
＜５−２．赤外線信号変換回路１７＞
赤外線信号変換回路１７は、赤外線信号を電気信号に変換する回路である。赤外線信号変換回路１７は、コントローラ１８に接続されており、上述の図示せぬ赤外線受光部が受信した赤外線信号を電気信号に変換し、コントローラ１８に出力する。
【０１２１】
＜５−３．コントローラ１８＞
コントローラ１８は、操作部９又は赤外線信号変換回路１７から出力される信号に基づいて（すなわち、操作部９に対する手動操作又はリモコンＲによる遠隔操作に応じて）、音声信号及び映像信号を出力し、液晶ディスプレイ６２への各種画面（例えば、図１８（ａ）に示されたメニュー画面Ｓ１）の表示、テレビ放送制御、ラジオ放送制御、音声再生制御、画像再生制御、及び動画再生制御を実行可能に構成されている。コントローラ１８は、テレビ放送受信回路１８Ａ、ラジオ放送受信回路１８Ｂ、演算部１８Ｃ、及びメモリ１８Ｄを備えている。なお、コントローラ１８によって実行される各制御の詳細については後述する。
【０１２２】
＜５−３−１．テレビ放送受信回路１８Ａ＞
テレビ放送受信回路１８Ａは、アンテナ１２を介してデジタルテレビ放送等のテレビ放送波を受信するための回路である。また、テレビ放送受信回路１８Ａは、チューナ回路等を有しており、受信したテレビ放送波に対して選局処理を行い、選局されたテレビ放送局のテレビ放送に応じた映像信号及び音声信号を生成可能に構成されている。
【０１２３】
＜５−３−２．ラジオ放送受信回路１８Ｂ＞
ラジオ放送受信回路１８Ｂは、アンテナ１２を介してＡＭやＦＭ等のラジオ放送波を受信するための回路である。また、ラジオ放送受信回路１８Ｂは、チューナ回路等を有しており、受信したラジオ放送波に対して選局処理を行い、選局されたラジオ放送局のラジオ放送に応じた音声信号を生成可能に構成されている。
【０１２４】
＜５−３−３．演算部１８Ｃ及びメモリ１８Ｄ＞
演算部１８Ｃは、演算等を行うＣＰＵである。メモリ１８Ｄは、制御プログラム１８Ｅ等を記憶するためのＲＯＭと、データを一時記憶するためのＲＡＭとを有している。演算部１８Ｃは、メモリ１８Ｄに格納された制御プログラム１８Ｅに従って、液晶ディスプレイ６２への各種画面の表示や上述の各制御等を行うための様々な処理を行う。
【０１２５】
＜５−４．コントローラ１８によって実行される各制御＞
ここで、コントローラ１８によって実行される各制御の詳細について説明する。上述したように、コントローラ１８は、テレビ放送制御、ラジオ放送制御、音声再生制御、画像再生制御、及び動画再生制御を実行可能に構成されている。なお、コントローラ１８によるテレビ放送制御及びラジオ放送制御によって機器本体２のテレビ機能及びラジオ機能のそれぞれが実現されている。また、コントローラ１８による音声再生制御、画像再生制御、及び動画再生制御によって機器本体２のファイル再生機能が実現されている。
【０１２６】
＜５−４−１．テレビ放送制御＞
テレビ放送制御は、ユーザによって選局されたテレビ放送局のテレビ放送に応じた映像を液晶ディスプレイ６２に表示させ、当該テレビ放送に応じた音声を第１スピーカ１３及び第２スピーカ１４から出力させる制御である。
【０１２７】
テレビ放送制御は、例えば、ユーザが操作部９又はリモコンＲを操作して、図１８（ａ）に示されているメニュー画面Ｓ１を液晶ディスプレイ６２に表示させ、メニュー画面Ｓ１上の「Ｄｉｇｉｔａｌ  ＴＶ」を選択した後に所望のテレビ放送局を選局することで開始される。なお、テレビ放送制御は、リモコンＲのテレビボタンＲ１１を押圧操作した後に所望のテレビ放送局を選局した場合にも開始される。テレビ放送制御が開始されると、コントローラ１８は、ユーザによって選局されたテレビ放送局のテレビ放送に応じた映像信号及び音声信号を液晶ディスプレイ６２及びアンプ１９にそれぞれ出力する。
【０１２８】
テレビ放送制御において、演算部１８Ｃは、操作部９又は赤外線信号変換回路１７から出力される信号に基づいてユーザによって選局されたテレビ放送局を特定する。また、テレビ放送制御において、テレビ放送受信回路１８Ａは、演算部１８Ｃによって特定されたテレビ放送局を選局するための選局処理をテレビ放送波に対して行い、当該選局されたテレビ放送局のテレビ放送に応じた映像信号及び音声信号を生成する。
【０１２９】
＜５−４−２．ラジオ放送制御＞
ラジオ放送制御は、ユーザによって選局されたラジオ放送局のラジオ放送に応じた音声を第１スピーカ１３及び第２スピーカ１４から出力させるとともに図１８（ｂ）に示されたラジオ放送用画面Ｓ２を液晶ディスプレイ６２に表示させる制御である。図１８（ｂ）に示されているように、ラジオ放送用画面Ｓ２には、選局されたラジオ放送局の名称及び周波数、選局可能なラジオ放送局の一覧等が含まれている。図１８（ｂ）の例においては、選局されたラジオ放送局の名称「ＣＨ３」、当該ラジオ放送局の周波数「１２３ＭＨｚ」、及び選局可能なラジオ放送局の一覧「ＣＨ１〜ＣＨ１０」がラジオ放送用画面Ｓ２に含まれている。
【０１３０】
ラジオ放送制御は、例えば、ユーザが操作部９又はリモコンＲを操作して、図１８（ａ）に示されているメニュー画面Ｓ１を液晶ディスプレイ６２に表示させ、メニュー画面Ｓ１上の「Ｒａｄｉｏ」を選択した後に所望のラジオ放送局を選局することで開始される。なお、ラジオ放送制御は、リモコンＲのラジオボタンＲ１２を押圧操作した後に所望のラジオ放送局を選局した場合にも開始される。ラジオ放送制御が開始されると、コントローラ１８は、ユーザによって選局されたラジオ放送局のラジオ放送に応じた音声信号をアンプ１９に出力するとともにラジオ放送用画面Ｓ２を表示させるための映像信号を液晶ディスプレイ６２に出力する。
【０１３１】
ラジオ放送制御において、演算部１８Ｃは、操作部９又は赤外線信号変換回路１７から出力される信号に基づいてユーザによって選局されたラジオ放送局を特定するとともにラジオ放送用画面Ｓ２を液晶ディスプレイ６２に表示させるための映像信号を生成する。また、ラジオ放送受信回路１８Ｂは、演算部１８Ｃによって特定されたラジオ放送局を選局するための選局処理をラジオ放送波に対して行い、当該選局されたラジオ放送局に応じた音声信号を生成する。
【０１３２】
＜５−４−３．音声再生制御＞
音声再生制御は、ユーザによって選択された音声ファイルを再生し、当該音声ファイルに応じた音声を第１スピーカ１３及び第２スピーカ１４から出力させる制御である。
【０１３３】
音声再生制御は、例えば、ユーザが操作部９又はリモコンＲを操作して、図１８（ａ）に示されているメニュー画面Ｓ１を液晶ディスプレイ６２に表示させ、メニュー画面Ｓ１上の「Ｍｕｓｉｃ」を選択した後に所望の音声ファイルを選択することで開始される。この場合、ユーザは、外部接続端子部７に接続された複数の外部記憶媒体（ＳＤカード等）及び無線通信インターフェース１６を介して無線通信可能な複数の端末装置（スマートフォンやタブレット等）に記憶された複数の音声ファイルの中から所望の音声ファイルを選択可能である。
【０１３４】
なお、音声再生制御は、操作部９又はリモコンＲの所定のボタンを押圧操作し、外部接続端子部７に接続されている外部記憶媒体の一覧を液晶ディスプレイ６２に表示させ、当該一覧から一の外部記憶媒体を選択した後に当該選択された外部記憶媒体に記憶された複数の音声ファイルの中から所望の音声ファイルを選択した場合にも開始される。さらに、音声再生制御は、リモコンＲの外部通信ボタンＲ１０を押圧操作し、無線通信可能な端末装置の一覧を液晶ディスプレイ６２に表示させ、当該一覧から一の端末装置を選択した後に当該選択された端末装置に記憶された複数の音声ファイルの中から所望の音声ファイルを選択した場合にも開始される。
【０１３５】
音声再生制御が開始されると、コントローラ１８は、ユーザによって選択された音声ファイルに応じた音声信号をアンプ１９に出力する。音声再生制御において、演算部１８Ｃは、ユーザによって選択された音声ファイルを特定し、特定した音声ファイルを外部接続端子部７又は無線通信インターフェース１６を介して取得し、取得した音声ファイルに応じた音声信号を生成する。
【０１３６】
＜５−４−４．画像再生制御＞
画像再生制御は、ユーザによって選択された画像ファイルを再生し、当該画像ファイルに応じた静止画像を液晶ディスプレイ６２に表示させる制御である。
【０１３７】
画像再生制御は、例えば、ユーザが操作部９又はリモコンＲを操作して、図１８（ａ）に示されているメニュー画面Ｓ１を液晶ディスプレイ６２に表示させ、メニュー画面Ｓ１上の「Ｐｉｃｔｕｒｅ」を選択した後に所望の画像ファイルを選択することで開始される。この場合、ユーザは、外部接続端子部７に接続された複数の外部記憶媒体及び無線通信インターフェース１６を介して無線通信可能な複数の端末装置に記憶された複数の画像ファイルの中から所望の画像ファイルを選択可能である。
【０１３８】
なお、画像再生制御は、操作部９又はリモコンＲの所定のボタンを押圧操作し、外部接続端子部７に接続されている外部記憶媒体の一覧を液晶ディスプレイ６２に表示させ、当該一覧から一の外部記憶媒体を選択した後に当該選択された外部記憶媒体に記憶された複数の画像ファイルの中から所望の画像ファイルを選択した場合にも開始される。さらに、画像再生制御は、リモコンＲの外部通信ボタンＲ１０を押圧操作し、無線通信可能な端末装置の一覧を液晶ディスプレイ６２に表示させ、当該一覧から一の端末装置を選択した後に当該選択された端末装置に記憶された複数の画像ファイルの中から所望の画像ファイルを選択した場合にも開始される。
【０１３９】
画像再生制御が開始されると、コントローラ１８は、ユーザによって選択された画像ファイルに応じた映像信号を液晶ディスプレイ６２に出力する。画像再生制御において、演算部１８Ｃは、ユーザによって選択された画像ファイルを特定し、特定した画像ファイルを外部接続端子部７又は無線通信インターフェース１６を介して取得し、取得した画像ファイルに応じた映像信号を生成する。
【０１４０】
＜５−４−５．動画再生制御＞
動画再生制御は、ユーザによって選択された動画ファイルを再生し、当該動画ファイルに応じた映像（動画）を液晶ディスプレイ６２に表示させるとともに当該動画ファイルに応じた音声を第１スピーカ１３及び第２スピーカ１４から出力させる制御である。
【０１４１】
動画再生制御は、例えば、ユーザが操作部９又はリモコンＲを操作して、図１８（ａ）に示されているメニュー画面Ｓ１を液晶ディスプレイ６２に表示させ、メニュー画面Ｓ１上の「Ｖｉｄｅｏ」を選択した後に所望の動画ファイルを選択することで開始される。この場合、ユーザは、外部接続端子部７に接続された複数の外部記憶媒体及び無線通信インターフェース１６を介して無線通信可能な複数の端末装置に記憶された複数の動画ファイルの中から所望の動画ファイルを選択可能である。
【０１４２】
なお、動画再生制御は、操作部９又はリモコンＲの所定のボタンを押圧操作し、外部接続端子部７に接続されている外部記憶媒体の一覧を液晶ディスプレイ６２に表示させ、当該一覧から一の外部記憶媒体を選択した後に当該選択された外部記憶媒体に記憶された複数の動画ファイルの中から所望の動画ファイルを選択した場合にも開始される。さらに、動画再生制御は、リモコンＲの外部通信ボタンＲ１０を押圧操作し、無線通信可能な端末装置の一覧を液晶ディスプレイ６２に表示させ、当該一覧から一の端末装置を選択した後に当該選択された端末装置に記憶された複数の動画ファイルの中から所望の動画ファイルを選択した場合にも開始される。
【０１４３】
動画再生制御が開始されると、コントローラ１８は、ユーザによって選択された動画ファイルに応じた映像信号を液晶ディスプレイ６２に出力するとともに当該動画ファイルに応じた音声信号をアンプ１９に出力する。動画再生制御において、演算部１８Ｃは、ユーザによって選択された動画ファイルを特定し、特定した動画ファイルを外部接続端子部７又は無線通信インターフェース１６を介して取得し、取得した動画ファイルに応じた映像信号及び音声信号を生成する。
【０１４４】
＜５−５．アンプ１９＞
アンプ１９は、コントローラ１８に接続されており、コントローラ１８から出力された音声信号を増幅し、図示せぬフィルタを介して第１スピーカ１３及び第２スピーカ１４に出力するデジタルアンプである。本実施の形態において、アンプ１９の最大出力は、第１スピーカ１３及び第２スピーカ１４のそれぞれに対して２０Ｗ、すなわち合計４０Ｗである。なお、アンプ１９の最大出力は、これに限られず、第１スピーカ１３及び第２スピーカ１４のそれぞれの最大入力に応じて適宜決定されることが好ましい。例えば、第１スピーカ１３及び第２スピーカ１４の最大入力がそれぞれ１０Ｗである場合、アンプ１９の最大出力は、第１スピーカ１３及び第２スピーカ１４のそれぞれに対して１０Ｗ程度、すなわち合計２０Ｗ程度であってもよい。また、アンプ１９の最大出力は、第１スピーカ１３及び第２スピーカ１４の最大入力よりも小さい値であってもよい。
【０１４５】
＜６．ポータブルテレビ１の使用態様＞
次に、ポータブルテレビ１を使用態様について説明する。上述したようにポータブルテレビ１（機器本体２）は、電池パックＰと外部交流電源とを選択的に電源として利用することが可能に構成されているため、電池パックＰを電源として使用する場合と外部交流電源を電源として利用する場合とで場合を分けて説明する。なお、ポータブルテレビ１は、電池パックＰ及び外部交流電源の両方に電気的に接続されている場合、外部交流電源の電力が優先的にポータブルテレビ１に供給されるように構成されている。このため、以下の説明においては、ポータブルテレビ１が電池パックＰ及び外部交流電源のいずれにも接続されていない状態を前提として説明する。
【０１４６】
＜６−１．電池パックＰを電源として利用する場合＞
電池パックＰを電源としてポータブルテレビ１の使用を開始する場合、開口カバー１０を開姿勢（図１４等）とし、収容部１１を外部に露出させる。収容部１１を外部に露出させた後、電池パックＰを収容部１１のバッテリ収容部１１１に収容し、且つバッテリ収容部１１１の電源接続部１１１Ｄと電池パックＰの工具接続部とを接続させ、機器本体２と電池パックＰとが電気的に接続された状態（図９等）とする。その後、収容部１１内に電池パックＰを収容した状態で開口カバー１０を閉姿勢に戻す。この状態で、操作部９の電源ボタン９１又はリモコンＲの電源ボタンＲ１を押圧操作し、機器本体２の電源をＯＮ状態（すなわち、コントローラ１８等に電池パックＰの電力が供給されている状態）とする。機器本体２の電源がＯＮ状態となると、コントローラ１８によって上述の各制御が実行され得る状態となり、ユーザは操作部９又はリモコンＲを操作して機器本体２の上述の各機能を利用することができる。ポータブルテレビ１の使用を終える場合には、操作部９の電源ボタン９１又はリモコンＲの電源ボタンＲ１を再び押圧操作し、機器本体２の電源をＯＦＦ状態とする。その後、開口カバー１０を再び開姿勢とし、リモコンＲ、及び使用していないアダプタＡを収容部１１に収容し、収容部１１に電池パックＰ、アダプタＡ、及びリモコンＲが収容された状態で、開口カバー１０を閉状態とする。
【０１４７】
＜６−２．外部交流電源を電源として利用する場合＞
外部交流電源を電源としてポータブルテレビ１の使用を開始する場合、アダプタＡのアダプタ端子をアダプタ接続部５２Ｃのアダプタ接続端子に接続した後、アダプタＡのプラグＡ２を家庭用コンセントに接続し、機器本体２と外部交流電源とが電気的に接続された状態とする。この状態で、操作部９の電源ボタン９１又はリモコンＲの電源ボタンＲ１を押圧操作し、機器本体２の電源をＯＮ状態（すなわち、コントローラ１８等に外部交流電源の電力が供給されている状態）とする。以降は、電池パックＰを電源として利用する場合と同様であるため、説明を省略する。
【０１４８】
＜７．作用効果＞
上述のように本発明の実施の形態によるポータブルテレビ１は、左右方向に延びる機器本体２と、機器本体２を囲むフレームガード３と、機器本体２とフレームガード３とを接続する６個のダンパ４１（ダンパ部４）と、を備えているため、フレームガード３が外部から衝撃を受けた場合、当該衝撃を６個のダンパ４１によって吸収緩和することができ、フレームガード３から機器本体２に伝わる衝撃が低減される。これにより、機器本体２の故障を抑制でき、外部からの衝撃に対するポータブルテレビ１の耐久性を向上させることができる。
【０１４９】
また、上述のポータブルテレビ１は、左右方向に延びる機器本体２と、該機器本体と離間して位置し左右方向に延びる第１水平ガード３１Ａとを備えている。また、機器本体２は、機器本体２の前方から視認可能な第１傾斜壁部５１を有し左右方向に延びるハウジング５と、ハウジング５内に収容され映像信号及び音声信号を出力可能なコントローラ１８と、第１傾斜壁部５１に支持されるとともに機器本体２の前方から視認可能でありコントローラ１８から出力される映像信号に基づいた映像を表示可能な液晶ディスプレイ６２と、ハウジング５の左端部に配置されコントローラ１８から出力される音声信号に基づいた音声を出力可能な第１スピーカ１３と、ハウジング５の右端部に配置されコントローラ１８から出力される音声信号に基づいた音声を出力可能な第２スピーカ１４とを有しており、第１水平ガード３１Ａは、液晶ディスプレイ６２よりも外方に突出している。
【０１５０】
このような構成によると、第１水平ガード３１Ａが液晶ディスプレイ６２よりも外方に突出しているため、建築現場等で資材等が倒れ掛かってきた場合であっても、当該資材等は液晶ディスプレイ６２ではなく第１水平ガード３１Ａに衝突又は接触する。このため、液晶ディスプレイ６２の保護をより万全とすることができ、液晶ディスプレイ６２の破損又は傷付きを抑制することができる。すなわち、上記構成によると、建築現場等での使用に十分に適した電気機器を提供することができる。
【０１５１】
また、ポータブルテレビ１は、左右方向に延びる機器本体２を備え、機器本体２は、機器本体２の前方から視認可能な第１傾斜壁部５１を有し左右方向に延びるハウジング５と、ハウジング５内に収容され映像信号及び音声信号を出力可能なコントローラ１８と、第１傾斜壁部５１に支持されるとともに機器本体２の前方から視認可能でありコントローラ１８から出力される映像信号に基づいた映像を表示可能な液晶ディスプレイ６２と、ハウジング５の左端部に配置されコントローラ１８から出力される音声信号に基づいた音声を出力可能な第１スピーカ１３と、ハウジング５の右端部に配置されコントローラ１８から出力される音声信号に基づいた音声を出力可能な第２スピーカ１４とを有しており、液晶ディスプレイ６２の画面サイズは６〜１２インチであり、第１スピーカ１３及び第２スピーカ１４のそれぞれの最大入力は２０Ｗである。
【０１５２】
このような構成によると、第１スピーカ１３及び第２スピーカ１４のそれぞれの最大入力が５〜２０Ｗの範囲にあるため、６〜１２インチの画面サイズを有するディスプレイを備えた従来のポータブルテレビにおけるスピーカの最大入力よりも大幅に大きい。このため、６〜１２インチの画面サイズを有する従来のポータブルテレビと比較して、スピーカから出力する音声の音量を大幅に大きくすることができる。これにより、建築現場等の騒音が大きい場所でも音声を聞き取り易くすることができる。すなわち、上記構成によると、建築現場等での使用に十分に適した電気機器を提供することができる。
【０１５３】
また、機器本体２の左端部及び右端部に大きなスピーカを配置することで機器本体２の左右方向の寸法を大きくすることなく、奥行きを持たせることが可能である。これにより機器本体２の左右方向の寸法を大きくすることなく大きなスピーカを配置することが可能であり、さらに機器本体２が奥行きを持つため、安定した設置が可能となり、建築現場等での使用に適した電気機器を提供することができる。
【０１５４】
また、本実施の形態によるポータブルテレビ１は、左右方向に延びる機器本体２と、機器本体２を囲むように配置されたフレームガード３とを備えている。また、機器本体２は、機器本体２の前方から視認可能な第１傾斜壁部５１を有し左右方向に延びるハウジング５と、ハウジング５内に収容され映像信号及び音声信号を出力可能なコントローラ１８と、第１傾斜壁部５１に支持されるとともに機器本体２の前方から視認可能でありコントローラ１８から出力される映像信号に基づいた映像を表示可能な表示面６２Ａを有する液晶ディスプレイ６２と、ハウジング５の左端部に配置されコントローラ１８から出力される音声信号に基づいた音声を出力可能な第１スピーカ１３と、ハウジング５の右端部に配置されコントローラ１８から出力される音声信号に基づいた音声を出力可能な第２スピーカ１４とを有しており、上下方向に直交する仮想平面をフレームガード３に下方から接触させた場合の当該仮想平面とフレームガード３との接触部分のうちの前端Ｓと後端Ｔとの距離Ｕは表示面６２Ａの上下方向の寸法よりも大きい。前端Ｓは、本発明における「前端」の一例であり、後端Ｔは、本発明における「後端」の一例である。
【０１５５】
このような構成によると、ポータブルテレビ１が前方又は後方に倒れることを抑制することができ、液晶ディスプレイ６２の破損、傷つきを効果的に抑制することができる。すなわち、上記構成によると、建築現場等での使用に十分に適した電気機器を提供することができる。
【０１５６】
また、ポータブルテレビ１においては、第１スピーカ１３は音声を左方向に出力するように配置され、第２スピーカ１４は該音声を右方向に出力するように配置されている。すなわち、第１スピーカ１３の振動板１３Ａは、左方向に開口するように配置され、且つ第２スピーカ１４の振動板は、右方向に開口するように配置される。このため、ポータブルテレビ１の左右方向の寸法を大型化させることなく、第１スピーカ１３の振動板１３Ａ及び第２スピーカ１４の振動板のそれぞれの直径を比較的大きく構成し、第１スピーカ１３及び第２スピーカ１４から出力する音声の音量を大幅に大きくすることが可能となる。
【０１５７】
また、ポータブルテレビ１におけるハウジング５は、第２開口５２ａが形成され第１傾斜壁部５１の後方に位置する第２傾斜壁部５２をさらに有している。さらに、機器本体２は、第２傾斜壁部５２に設けられるとともに第２開口５２ａを閉じる閉姿勢と該開口を開放する開姿勢との間で開閉可能な開口カバー１０と、機器本体２を遠隔操作可能なリモコンＲを収容可能にハウジング５内に設けられ第２開口５２ａが開放されている場合に第２開口５２ａを介してハウジング５の外部に露出される収容部１１とを有している。
【０１５８】
このような構成によると、開口カバー１０を開姿勢として収容部１１を外部に露出させてリモコンＲを収容部１１に収容することができ、且つリモコンＲを収容部１１に収容した状態で開口カバー１０を閉姿勢とすることができる。これにより、リモコンＲが雨に濡れたり、紛失したりすることを抑制することができる。
【０１５９】
また、本実施のポータブルテレビ１における収容部１１は、リモコンＲを収容した状態で電池パックＰをさらに収容可能に構成されている。これにより、リモコンＲと電池パックＰとを別々に収容する構成の電気機器と比較して、ポータブルテレビ１をコンパクトにすることができる。
【０１６０】
また、ポータブルテレビ１の収容部１１は、電池パックＰを収容した状態で電池パックＰと電気的に接続可能な電源接続部１１１Ｄを有しており、コントローラ１８は、電源接続部１１１Ｄと電気的に接続されている。このため、ポータブルテレビ１は、電池パックＰを電源として利用することが可能である。これにより、建築現場等の外部交流電源（例えば、商用電源）を使用することが困難な場所でのポータブルテレビ１の使用が可能となり、ポータブルテレビ１の利便性を向上させることができる。
【０１６１】
また、ポータブルテレビ１の機器本体２は、第１傾斜壁部５１において液晶ディスプレイ６２の下方に設けられ外部機器と接続可能な第１〜第６外部接続端子７Ａ〜７Ｆを有している。このような構成によると、前方から視認可能な第１傾斜壁部５１に液晶ディスプレイ６２と第１〜第６外部接続端子７Ａ〜７Ｆが設けられている。
【０１６２】
このような構成によると、外部接続端子が機器本体の側面に設けられている電気機器と比較して、外部機器を第１〜第６外部接続端子７Ａ〜７Ｆに容易に接続することができる。また、建築現場等においては、機器本体２の側面（左壁部５４、右壁部５５）が資材等によって覆われるような姿勢でポータブルテレビ１を載置しなければならない場合があるが、このような場合に外部機器を確実に第１〜第６外部接続端子７Ａ〜７Ｆに接続することができる。
【０１６３】
また、本実施の形態においてポータブルテレビ１の機器本体２は、第１傾斜壁部５１に設けられ第１〜第６外部接続端子７Ａ〜７Ｆを覆う閉姿勢と第１〜第６外部接続端子７Ａ〜７Ｆを露出させる開姿勢との間で開閉可能な端子カバー８１と、第１傾斜壁部５１と端子カバー８１との間に設けられ端子カバー８１が閉姿勢に向けて姿勢変化するように端子カバー８１を付勢する付勢部材８２とを有している。
【０１６４】
このような構成によると、端子カバー８１で第１〜第６外部接続端子７Ａ〜７Ｆを覆うことができるため、第１〜第６外部接続端子７Ａ〜７Ｆに埃等が侵入することを抑制することができる。これにより、当該埃等の侵入に起因する第１〜第６外部接続端子７Ａ〜７Ｆと外部機器との接続不良を抑制することができる。また、開姿勢において、ユーザが端子カバー８１から手を離すと、付勢部材８２の付勢力によって自動的に端子カバー８１は閉姿勢へと姿勢変化するため、ユーザは端子カバー８１から手を離すのみで端子カバー８１を閉姿勢とすることができる。これにより、ポータブルテレビ１の利便性を向上させることができる。
【０１６５】
また、本実施の形態においては、端子カバー８１と機器本体２との間には、シール部材８３が設けられている。このため、端子カバー８１の隙間を塞ぐことができるため、第１〜第６外部接続端子７Ａ〜７Ｆに水や埃等の異物が侵入することを抑制することができる。これにより、当該水や埃等の侵入に起因する第１〜第６外部接続端子７Ａ〜７Ｆと外部機器との接続不良を抑制することができる。
【０１６６】
また、本実施の形態によるポータブルテレビ１の機器本体２は、第１傾斜壁部５１における液晶ディスプレイ６２の上方に設けられ手動操作を受け付ける操作部９を有している。このような構成によると、前方から視認可能な第１傾斜壁部５１に液晶ディスプレイ６２と手動操作を受け付ける操作部９が設けられている。このため、ユーザは液晶ディスプレイ６２を見ながら操作部９を操作することができる。
【０１６７】
また、ポータブルテレビ１のコントローラ１８は、ラジオ放送波を受信可能なラジオ放送受信回路１８Ｂと、テレビ放送波を受信可能なテレビ放送受信回路１８Ａとを有しているため、建築現場等でラジオ放送を聴くことができ、且つテレビ放送を視聴することができる。これにより、ユーザは建築現場等での作業を快適に行うことができる。
【０１６８】
また、ポータブルテレビ１のコントローラ１８は、選局されたラジオ放送局のラジオ放送に応じた音声信号を出力可能、且つ、選局されたテレビ放送局のテレビ放送に応じた映像信号及び音声信号を出力可能に構成されている。
【０１６９】
また、ポータブルテレビ１のコントローラ１８は、選局されたラジオ放送局の周波数を示すラジオ放送用画面Ｓ２を液晶ディスプレイ６２に表示させることが可能に構成されている。このため、ユーザは現在選局されているラジオ放送局の周波数を液晶ディスプレイ６２上のラジオ放送用画面Ｓ２で確認することができる。これにより、ラジオ放送局の選局が容易となる。
【０１７０】
本実施の形態によるポータブルテレビ１は、第２開口５２ａが形成されたハウジング５と、第２開口５２ａを閉じる閉姿勢と第２開口５２ａを開放する開姿勢との間で開閉可能な開口カバー１０と、ハウジング５に設けられ電力によって作動する作動部（すなわち、電力によって作動する液晶ディスプレイ６２、第１スピーカ１３、及び第２スピーカ１４）と、ハウジング５に収容され作動部（液晶ディスプレイ６２、第１スピーカ１３、及び第２スピーカ１４）を制御するコントローラ１８と、コントローラ１８を赤外線で遠隔操作可能なリモコンＲを収容可能に該ハウジング５内に設けられ第２開口５２ａが開放されている場合に第２開口５２ａを介してハウジング５の外部に露出される収容部１１とを備えている。
【０１７１】
このような構成によると、開口カバー１０を開姿勢として収容部１１を外部に露出させてリモコンＲを収容部１１に収容することができ、且つリモコンＲを収容部１１に収容した状態で開口カバー１０を閉姿勢とすることができる。これにより、リモコンＲが雨に濡れたり、紛失したりすることを抑制することができる。すなわち、上記構成によると、建築現場等での使用に十分に適した電気機器を提供することができる。
【０１７２】
本実施の形態によるポータブルテレビ１は、左右方向に延びる機器本体２を備え、機器本体２は、機器本体２の前方から視認可能な第１傾斜壁部５１を有し左右方向に延びるハウジング５と、ハウジング５内に収容され映像信号及び音声信号を出力可能なコントローラ１８と、第１傾斜壁部５１に支持されるとともに機器本体２の前方から視認可能でありコントローラ１８から出力される映像信号に基づいた映像を表示可能な表示面６２Ａを有する液晶ディスプレイ６２と、液晶ディスプレイ６２の右方に配置されコントローラ１８から出力される音声信号に基づいた音声を出力可能な第１スピーカ１３と、液晶ディスプレイ６２の左方に配置されコントローラ１８から出力される音声信号に基づいた音声を出力可能な第２スピーカ１４と、第１傾斜壁部５１に設けられ外部機器を接続可能な第１〜第６外部接続端子７Ａ〜７Ｆとを有している。
【０１７３】
このような構成によると、前方から視認可能な第１傾斜壁部５１に液晶ディスプレイ６２と第１〜第７外部接続端子７Ａ〜７Ｆが設けられている。このため、外部接続端子が機器本体の側面に設けられている電気機器と比較して、外部機器を第１〜第７外部接続端子７Ａ〜７Ｆに容易に接続することができる。また、建築現場等においては、機器本体２の側面（左壁部５４及び右壁部５５）を塞ぐような姿勢でポータブルテレビ１を載置しなければならない場合があるが、このような場合に外部機器を確実に第１〜第７外部接続端子７Ａ〜７Ｆに接続することができる。すなわち、上記構成によると、建築現場等での使用に十分に適した電気機器を提供することができる。
【０１７４】
また、ポータブルテレビ１において、左右方向における表示面６２Ａの寸法は、ポータブルテレビ１の左右方向における全長の４０％以上であり、上下方向における表示面６２Ａの寸法は、ポータブルテレビ１の上下方向における全長の３０％以上である。このため、ポータブルテレビ１の寸法に対する表示面６２Ａの寸法の割合が比較的大きいため、表示面６２Ａに表示される映像等をユーザが容易且つ快適に視認することが可能である。
【０１７５】
本発明による電気機器は、上述した実施の形態に限定されず、特許請求の範囲に記載された発明の要旨の範囲内で種々の変更が可能である。
【符号の説明】
【０１７６】
１…ポータブルテレビ  ２…機器本体  ３…フレームガード  ４…ダンパ部  ５…ハウジング  ６…映像出力部  ７…外部接続端子部  ８…端子カバー部  ９…操作部  １０…開口カバー  １１…収容部  １２…アンテナ  １３…第１スピーカ  １４…第２スピーカ  １５…制御基板  １８…コントローラ  １８Ａ…テレビ放送受信回路  １８Ｂ…ラジオ放送受信回路  １９…アンプ  ５１…第１傾斜壁部  ５２…第２傾斜壁部  ５３…下壁部  ５４…左壁部  ５５…右壁部  ６１…保護パネル  ６２…液晶ディスプレイ  ６２Ａ…表示面  ８１…端子カバー  ８２…付勢部材  ８３…シール部材  １１１…バッテリ収容部  １１２…アダプタ収容部  １１３…リモコン収容部  Ｓ…前端  Ｔ…後端  Ｕ…距離  Ｘ１…第１直交方向  Ｘ２…第２直交方向  Ｙ１…第１平行方向  Ｙ２…第２平行方向
【図１】
2018198376.tif 000003
【図２】
2018198376.tif 000004
【図３】
2018198376.tif 000005
【図４】
2018198376.tif 000006
【図５】
2018198376.tif 000007
【図６】
2018198376.tif 000008
【図７】
2018198376.tif 000009
【図８】
2018198376.tif 000010
【図９】
2018198376.tif 000011
【図１０】
2018198376.tif 000012
【図１１】
2018198376.tif 000013
【図１２】
2018198376.tif 000014
【図１３】
2018198376.tif 000015
【図１４】
2018198376.tif 000016
【図１５】
2018198376.tif 000017
【図１６】
2018198376.tif 000018
【図１７】
2018198376.tif 000019
【図１８】
2018198376.tif 000020